(57)【特許請求の範囲】
【請求項１】
データを送信する方法であって、
第１の通信デバイスを用いて、デジタル放送スペクトル中の現在利用可能な少なくとも１つのチャネルを識別することと、
前記第１の通信デバイスを用いて、第２の通信デバイスから送られたデータを受信することであって、ここで前記第２の通信デバイスから受信された前記データが、前記第１の通信デバイス上で表示される１次表示情報と前記第１の通信デバイス上で表示されない２次表示情報とを含む、受信することと、  前記デジタル放送スペクトルの前記少なくとも１つの識別されたチャネルにおいて前記第１の通信デバイスから前記データを送信することであって、ここで前記送信されるデータがデジタル放送フォーマットに準拠し、また前記データが２次表示情報を備えている、送信することと、
を備える方法。
【請求項２】
前記第２の通信デバイスから送られた前記データを受信することが、ワイヤレスネットワーク上で前記第２の通信デバイスから送られた前記データを受信することを備える、
請求項１に記載の方法。
【請求項３】
前記ワイヤレスネットワークが、前記デジタル放送スペクトルのための放送ネットワークとは異なる、請求項２に記載の方法。
【請求項４】
前記表示情報が、前記第２の通信デバイス上で表示される１次表示データを備え、
前記少なくとも１つの識別されたチャネルにおいて前記第１の通信デバイスから前記データを送信することが、前記１次表示データを送信することを備える、
請求項１に記載の方法。
【請求項５】
前記２次表示データが、前記第２の通信デバイスによって表示される１次表示データとは異なり、
前記少なくとも１つの識別されたチャネルにおいて前記第１の通信デバイスから前記データを送信することが、前記２次表示データを送信することを備える、
請求項１に記載の方法。
【請求項６】
前記第２の通信デバイスから送られる前記データが、前記第２の通信デバイスのヒューマンインターフェースデバイスによって与えられたデータを備え、
前記少なくとも１つの識別されたチャネルにおいて前記第１の通信デバイスから前記データを送信することが、前記ヒューマンインターフェースデバイスによって外部デバイスに与えられた前記データを送信することを備え、ここで前記ヒューマンインターフェースデバイスによって与えられた前記データが、前記外部デバイスによって表示されるアイコンを制御するために前記外部デバイスによって使用されることが可能である、
請求項１に記載の方法。
【請求項７】
前記第２の通信デバイスの前記ヒューマンインターフェースデバイスがタッチインターフェースを備える、請求項６に記載の方法。
【請求項８】
前記少なくとも１つのチャネルを識別することが、デジタル放送テレビジョンスペクトルの未使用部分中の前記少なくとも１つのチャネルを識別することを備え、
前記データを送信することが、前記デジタル放送テレビジョンスペクトルの前記少なくとも１つの識別されたチャネルにおいて、デジタル放送フォーマットに従って前記データを送信することを備える、
請求項１に記載の方法。
【請求項９】
前記デジタル放送フォーマットが、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）フォーマット、Ｔ−ＤＭＢ（Ｔｅｒｒｅｓｔｒｉａｌ  Ｄｉｇｉｔａｌ  Ｍｕｌｔｉｍｅｄｉａ  Ｂｒｏａｄｃａｓｔｉｎｇ）フォーマット、ＤＶＢ（Ｄｉｇｉｔａｌ  Ｖｉｄｅｏ  Ｂｒｏａｄｃａｓｔｉｎｇ）フォーマット、Ｉｎｔｅｇｒａｔｅｄ  Ｓｅｒｖｉｃｅｓ  Ｄｉｇｉｔａｌ  Ｂｒｏａｄｃａｓｔｉｎｇ  Ｔｅｒｒｅｓｔｒｉａｌ（ＩＳＤＢ−Ｔ）フォーマット、またはＭｏｖｉｎｇ  Ｐｉｃｔｕｒｅ  Ｅｘｐｅｒｔｓ  Ｇｒｏｕｐ  Ｔｒａｎｓｐｏｒｔ  Ｓｔｒｅａｍ（ＭＰＥＧ−ＴＳ）フォーマットを備える、請求項８に記載の方法。
【請求項１０】
前記少なくとも１つのチャネルを識別することが、テレビジョン帯域ホワイトスペースを識別することを備える、請求項１に記載の方法。
【請求項１１】
前記データを受信することが、前記第２の通信デバイスから第１のデータフォーマットのデータを受信することを備え、
前記方法が、前記第１の通信デバイスによって、前記第１のデータフォーマットの前記データを第２のデータフォーマットのデータに変換することをさらに備え、前記第２のデータフォーマットが前記デジタル放送フォーマットに準拠し、
前記データを送信することが、前記少なくとも１つの識別されたチャネルにおいて前記第１の通信デバイスから前記第２のフォーマットの前記データを送信することを備える、
請求項１に記載の方法。
【請求項１２】
前記第１のデータフォーマットの前記データおよび前記第２のデータフォーマットの前記データがそれぞれ、オーディオデータ、ビデオデータ、テキストデータ、音声データ、グラフィックスデータ、および補助対話性データのうちの少なくとも１つを含む、請求項１１に記載の方法。
【請求項１３】
前記第１のデータフォーマットの前記データを前記第２のデータフォーマットのデータに変換することが、前記第２のデータフォーマットに準拠する符号化されたデータを生成するように、前記第１のデータフォーマットの前記データを符号化することを備える、請求項１１に記載の方法。
【請求項１４】
前記第１のデータフォーマットの前記データを前記第２のデータフォーマットのデータに変換することが、前記第１のデータフォーマットの前記データを前記第２のデータフォーマットの前記データにトランスコードすることを備える、請求項１１に記載の方法。
【請求項１５】
前記トランスコードすることが、前記第１のデータフォーマットと前記第２のデータフォーマットの両方に共通であり、その両方によってサポートされる特徴のセットに基づいて、前記第１のデータフォーマットの前記データを前記第２のデータフォーマットの前記データにトランスコードすることを備える、請求項１４に記載の方法。
【請求項１６】
トランスコードすることが、ビデオデータを前記第１のデータフォーマットから前記第２のデータフォーマットのビデオデータにトランスコードすることを備え、
前記第１のデータフォーマットが、Ｍｏｖｉｎｇ  Ｐｉｃｔｕｒｅ  Ｅｘｐｅｒｔｓ  Ｇｒｏｕｐ（ＭＰＥＧ）４フォーマットを備え、
前記第２のデータフォーマットがＭＰＥＧ−２フォーマットを備える、
請求項１４に記載の方法。
【請求項１７】
前記第２のデータフォーマットを指定するための情報を前記第１の通信デバイスから前記第２の通信デバイスに送ること
をさらに備える、請求項１１に記載の方法。
【請求項１８】
前記第２の通信デバイスから送られた前記データを受信することが、デジタル放送フォーマットのデータを受信することを備える、
請求項１に記載の方法。
【請求項１９】
前記少なくとも１つのチャネルを識別することが、前記少なくとも１つのチャネルを識別するためにスペクトルセンサを使用することを備える、請求項１に記載の方法。
【請求項２０】
前記第１の通信デバイスの地理的ロケーションを判断することをさらに備え、
ここでは、
前記少なくとも１つのチャネルを識別することが、前記少なくとも１つのチャネルを識別するためにデジタルテレビジョン（ＴＶ）帯域データベースにアクセスすることを備え、
前記デジタルＴＶ帯域データベースにアクセスすることが、前記デジタルＴＶ帯域データベースへの入力として前記地理的ロケーションを与えることを備える、
請求項１に記載の方法。
【請求項２１】
前記地理的ロケーションを判断することが、前記第１の通信デバイス内に含まれる全地球測位システム（ＧＰＳ）センサを使用して前記地理的ロケーションを判断すること、または外部サーバから前記第１の通信デバイスの推定されたロケーションを取得するために、前記外部サーバに前記第１の通信デバイスのインターネットプロトコル（ＩＰ）アドレスを与えることを備える、請求項２０に記載の方法。
【請求項２２】
前記少なくとも１つのチャネルを識別することが、前記デジタル放送スペクトルの複数の利用可能なチャネルを識別することを備え、前記方法が、前記複数の利用可能なチャネルのうちの少なくとも１つの選択を受信することをさらに備え、前記データを送信することが、前記選択されたチャネルのうちの少なくとも１つにおいて前記データを送信することを備える、請求項１に記載の方法。
【請求項２３】
前記第２の通信デバイスがドッキングされる、請求項１に記載の方法。
【請求項２４】
１つまたは複数のプロセッサと、
デジタル放送スペクトル中の現在利用可能な少なくとも１つのチャネルを識別するように、前記１つまたは複数のプロセッサによって動作可能であるチャネル識別器と、
第２の通信デバイスから送られたデータを受信するように、前記１つまたは複数のプロセッサによって動作可能である受信機であって、ここで前記第２の通信デバイスから送られた前記データが、１次表示データと２次表示データとを含み、前記１次表示データは、前記通信デバイス上で表示され、前記２次表示データは、前記通信デバイス上で表示されない、受信機と、
前記デジタル放送スペクトルの前記少なくとも１つの識別されたチャネルにおいて前記データを送信するように、前記１つまたは複数のプロセッサによって動作可能である送信機であって、ここで前記送信されるデータがデジタル放送フォーマットに準拠し、また前記データが２次表示データを備えている、送信機と、を備える通信デバイス。
【請求項２５】
前記受信機が、少なくとも、ワイヤレスネットワーク上で前記第２の通信デバイスから送られた前記データを受信することによって、前記第２の通信デバイスから送られた前記データを受信する、請求項２４に記載の通信デバイス。
【請求項２６】
前記ワイヤレスネットワークが前記デジタル放送スペクトルとは異なる、請求項２５に記載の通信デバイス。
【請求項２７】
前記表示情報が、前記第２の通信デバイス上で表示される１次表示データを備え、
前記少なくとも１つの識別されたチャネルにおいて前記データを送信する前記送信機が、前記１次データを送信することを備える、
請求項２４に記載の通信デバイス。
【請求項２８】
前記２次表示データが、前記第２の通信デバイスによって表示される１次表示データとは異なり、
前記送信機が、少なくとも前記２次表示データを送信することによって、前記少なくとも１つの識別されたチャネルにおいて前記データを送信する、
請求項２４に記載の通信デバイス。
【請求項２９】
前記第２の通信デバイスから送られる前記データが、前記第２の通信デバイスのヒューマンインターフェースデバイスによって与えられたデータを備え、
前記送信機が、少なくとも、前記ヒューマンインターフェースデバイスによって外部デバイスに与えられた前記データを送信することによって、前記少なくとも１つの識別されたチャネルにおいて前記データを送信し、ここで前記ヒューマンインターフェースデバイスによって与えられた前記データが、前記外部デバイスによって表示されるアイコンを制御するために前記外部デバイスによって使用されることが可能である、
請求項２４に記載の通信デバイス。
【請求項３０】
前記第２の通信デバイスの前記ヒューマンインターフェースデバイスがタッチインターフェースを備える、請求項２９に記載の通信デバイス。
【請求項３１】
前記チャネル識別器が、デジタル放送テレビジョンスペクトルの未使用部分中の前記少なくとも１つのチャネルを識別し、
前記送信機が、前記デジタル放送テレビジョンスペクトルの前記少なくとも１つの識別されたチャネルにおいて、デジタル放送フォーマットに従って前記データを送信する、
請求項２４に記載の通信デバイス。
【請求項３２】
前記デジタル放送フォーマットが、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）フォーマット、Ｔ−ＤＭＢ（Ｔｅｒｒｅｓｔｒｉａｌ  Ｄｉｇｉｔａｌ  Ｍｕｌｔｉｍｅｄｉａ  Ｂｒｏａｄｃａｓｔｉｎｇ）フォーマット、ＤＶＢ（Ｄｉｇｉｔａｌ  Ｖｉｄｅｏ  Ｂｒｏａｄｃａｓｔｉｎｇ）フォーマット、Ｉｎｔｅｇｒａｔｅｄ  Ｓｅｒｖｉｃｅｓ  Ｄｉｇｉｔａｌ  Ｂｒｏａｄｃａｓｔｉｎｇ  Ｔｅｒｒｅｓｔｒｉａｌ（ＩＳＤＢ−Ｔ）フォーマット、またはＭｏｖｉｎｇ  Ｐｉｃｔｕｒｅ  Ｅｘｐｅｒｔｓ  Ｇｒｏｕｐ  Ｔｒａｎｓｐｏｒｔ  Ｓｔｒｅａｍ（ＭＰＥＧ−ＴＳ）フォーマットを備える、請求項３１に記載の通信デバイス。
【請求項３３】
前記チャネル識別器が、少なくとも、テレビジョン帯域ホワイトスペースを識別することによって、前記少なくとも１つのチャネルを識別する、請求項２４に記載の通信デバイス。
【請求項３４】
前記受信機が、前記第２の通信デバイスから第１のデータフォーマットのデータを受信し、
前記通信デバイスが、前記第１のデータフォーマットの前記データを第２のデータフォーマットのデータに変換するための変換ユニットをさらに備え、ここで前記第２のデータフォーマットが前記デジタル放送フォーマットに準拠しており、
前記送信機が、前記少なくとも１つの識別されたチャネルにおいて前記第２のフォーマットの前記データを送信する、
請求項２４に記載の通信デバイス。
【請求項３５】
前記第１のデータフォーマットの前記データおよび前記第２のデータフォーマットの前記データがそれぞれ、オーディオデータ、ビデオデータ、テキストデータ、音声データ、グラフィックスデータ、および補助対話性データのうちの少なくとも１つを含む、請求項３４に記載の通信デバイス。
【請求項３６】
前記変換ユニットが、少なくとも、前記第２のデータフォーマットに準拠する符号化されたデータを生成するように、前記第１のデータフォーマットの前記データを符号化することによって、前記第１のデータフォーマットの前記データを前記第２のデータフォーマットの前記データに変換する、請求項３４に記載の通信デバイス。
【請求項３７】
前記変換ユニットが、少なくとも、前記第１のデータフォーマットの前記データを前記第２のデータフォーマットの前記データにトランスコードすることによって、前記第１のデータフォーマットの前記データを前記第２のデータフォーマットの前記データに変換する、請求項３４に記載の通信デバイス。
【請求項３８】
前記変換ユニットが、前記第１のデータフォーマットと前記第２のデータフォーマットの両方に共通であり、その両方によってサポートされる特徴のセットに基づいて、前記第１のデータフォーマットの前記データを前記第２のデータフォーマットの前記データにトランスコードする、請求項３７に記載の通信デバイス。
【請求項３９】
前記変換ユニットが、ビデオデータを前記第１のデータフォーマットから前記第２のデータフォーマットのビデオデータにトランスコードし、
前記第１のデータフォーマットが、Ｍｏｖｉｎｇ  Ｐｉｃｔｕｒｅ  Ｅｘｐｅｒｔｓ  Ｇｒｏｕｐ（ＭＰＥＧ）４フォーマットを備え、
前記第２のデータフォーマットがＭＰＥＧ−２フォーマットを備える、
請求項３７に記載の通信デバイス。
【請求項４０】
前記通信デバイスが、前記第２のデータフォーマットを指定する情報を前記第２の通信デバイスに送るようにさらに構成された、請求項３４に記載の通信デバイス。
【請求項４１】
前記受信機が、少なくとも、デジタル放送フォーマットのデータを受信することによって、前記第２の通信デバイスから送られた前記データを受信する、請求項２４に記載の通信デバイス。
【請求項４２】
前記チャネル識別器がスペクトルセンサを備える、請求項２４に記載の通信デバイス。
【請求項４３】
前記チャネル識別器が、少なくとも、前記少なくとも１つのチャネルを識別するためにデジタルテレビジョン（ＴＶ）帯域データベースにアクセスすることによって、前記少なくとも１つのチャネルを識別する、請求項２４に記載の通信デバイス。
【請求項４４】
前記第２の通信デバイスがドッキングされる、請求項２４に記載の通信デバイス。
【請求項４５】
前記通信デバイスがワイヤレス通信デバイスハンドセットを備える、請求項２４に記載の通信デバイス。
【請求項４６】
前記通信デバイスが、１つまたは複数の集積回路デバイスを備える、請求項２４に記載の通信デバイス。
【請求項４７】
デジタル放送スペクトル中の現在利用可能な少なくとも１つのチャネルを識別するための手段と、
第２の通信デバイスから送られたデータを受信するための手段であって、ここで前記第２の通信デバイスから送られた前記データが、１次表示データと２次表示データとを含み、前記１次表示データは、前記通信デバイス上で表示され、前記２次表示データは、前記通信デバイス上で表示されない、手段と、
前記デジタル放送スペクトルの前記少なくとも１つの識別されたチャネルにおいて前記データを送信するための手段であって、ここで前記送信されるデータがデジタル放送フォーマットに準拠し、また前記データが２次表示データを備えている、手段と、
を備える通信デバイス。
【請求項４８】
前記第２の通信デバイスから送られた前記データを受信するための前記手段が、ワイヤレスネットワーク上で前記第２の通信デバイスから送られた前記データを受信するための手段を備える、
請求項４７に記載の通信デバイス。
【請求項４９】
前記ワイヤレスネットワークが前記デジタル放送スペクトルとは異なる、請求項４８に記載の通信デバイス。
【請求項５０】
前記表示情報が、前記第２の通信デバイス上で表示される１次表示データを備え、
前記少なくとも１つの識別されたチャネルにおいて前記データを送信するための前記手段が、前記１次表示データを送信するための手段を備える、
請求項４７に記載の通信デバイス。
【請求項５１】
前記２次表示データが、前記第２の通信デバイスによって表示される１次表示データとは異なり、
前記少なくとも１つの識別されたチャネルにおいて前記データを送信するための前記手段が、前記２次表示データを送信するための手段を備える、
請求項４７に記載の通信デバイス。
【請求項５２】
前記第２の通信デバイスから送られる前記データが、前記第２の通信デバイスのヒューマンインターフェースデバイスによって与えられたデータを備え、
前記少なくとも１つの識別されたチャネルにおいて前記データを送信するための前記手段が、前記ヒューマンインターフェースデバイスによって外部デバイスに与えられた前記データを送信するための手段を備え、前記ヒューマンインターフェースデバイスによって与えられた前記データが、前記外部デバイスによって表示されるアイコンを制御するために前記外部デバイスによって使用されることが可能である、
請求項４７に記載の通信デバイス。
【請求項５３】
前記第２の通信デバイスから送られた前記データを受信するための前記手段が、デジタル放送フォーマットのデータを受信するための手段を備える、
請求項４７に記載の通信デバイス。
【請求項５４】
前記少なくとも１つのチャネルを識別するための前記手段が、デジタル放送テレビジョンスペクトルの未使用部分中の前記少なくとも１つのチャネルを識別するための手段を備え、
前記データを送信するための前記手段が、前記デジタル放送テレビジョンスペクトルの前記少なくとも１つの識別されたチャネルにおいて、デジタル放送フォーマットに従って前記データを送信するための手段を備える、
請求項４７に記載の通信デバイス。
【請求項５５】
前記データを受信するための前記手段が、前記第２の通信デバイスから第１のデータフォーマットのデータを受信するための手段を備え、
前記通信デバイスが、前記第１のデータフォーマットの前記データを第２のデータフォーマットのデータに変換するための手段をさらに備え、前記第２のデータフォーマットが前記デジタル放送フォーマットに準拠し、
前記データを送信するための前記手段が、前記少なくとも１つの識別されたチャネルにおいて前記第２のフォーマットの前記データを送信するための手段を備える、
請求項４７に記載の通信デバイス。
【請求項５６】
前記第１のデータフォーマットの前記データを前記第２のデータフォーマットの前記データに変換するための前記手段が、前記第１のデータフォーマットと前記第２のデータフォーマットの両方に共通であり、その両方によってサポートされる特徴のセットに基づいて、前記第１のデータフォーマットの前記データを前記第２のデータフォーマットの前記データにトランスコードするための手段を備える、請求項５５に記載の通信デバイス。
【請求項５７】
通信デバイスの１つまたは複数のプロセッサに、
デジタル放送スペクトル中の現在利用可能な少なくとも１つのチャネルを識別することと、
第２の通信デバイスから送られたデータを受信することであって、ここで前記第２の通信デバイスから送られた前記データが、１次表示データと２次表示データとを含み、前記１次表示データは、前記通信デバイス上で表示され、前記２次表示データは、前記通信デバイス上で表示されない、受信をすることと、
前記デジタル放送スペクトルの前記少なくとも１つの識別されたチャネルにおいて前記データを送信することであって、ここで前記送信されるデータがデジタル放送フォーマットに準拠し、また前記データが２次表示データを備えている、送信をすることと、
を行わせるための命令を記憶する、コンピュータ可読記憶媒体。
【請求項５８】
前記第２の通信デバイスから送られた前記データを受信するための前記命令が、ワイヤレスネットワーク上で前記第２の通信デバイスから送られた前記データを受信するための命令を備える、
請求項５７に記載のコンピュータ可読記憶媒体。
【請求項５９】
前記ワイヤレスネットワークが前記デジタル放送スペクトルとは異なる、請求項５８に記載のコンピュータ可読記憶媒体。
【請求項６０】
前記表示情報が、前記第２の通信デバイス上で表示される１次表示データを備え、
前記少なくとも１つの識別されたチャネルにおいて前記データを送信するための前記命令が、前記１次表示データを送信するための命令を備える、
請求項５７に記載のコンピュータ可読記憶媒体。
【請求項６１】
前記２次表示データが、前記第２の通信デバイスによって表示される１次表示データとは異なり、
前記少なくとも１つの識別されたチャネルにおいて前記データを送信するための前記命令が、前記２次表示データを送信するための命令を備える、
請求項５７に記載のコンピュータ可読記憶媒体。
【請求項６２】
前記第２の通信デバイスから送られる前記データが、前記第２の通信デバイスのヒューマンインターフェースデバイスによって与えられたデータを備え、
前記少なくとも１つの識別されたチャネルにおいて前記データを送信するための前記命令が、前記ヒューマンインターフェースデバイスによって外部デバイスに与えられた前記データを送信するための命令を備え、前記ヒューマンインターフェースデバイスによって与えられた前記データが、前記外部デバイスによって表示されるアイコンを制御するために前記外部デバイスによって使用されることが可能である、
請求項５７に記載のコンピュータ可読記憶媒体。
【請求項６３】
前記第２の通信デバイスから送られた前記データを受信するための前記命令が、デジタル放送フォーマットのデータを受信するための命令を備える、
請求項５７に記載のコンピュータ可読記憶媒体。
【請求項６４】
前記少なくとも１つのチャネルを識別するための前記命令が、デジタル放送テレビジョンスペクトルの未使用部分中の前記少なくとも１つのチャネルを識別するための命令を備え、
前記データを送信するための前記命令が、前記デジタル放送テレビジョンスペクトルの前記少なくとも１つの識別されたチャネルにおいて、デジタル放送フォーマットに従って前記データを送信するための命令を備える、
請求項５７に記載のコンピュータ可読記憶媒体。
【請求項６５】
前記データを受信するための前記命令が、前記第２の通信デバイスから第１のデータフォーマットのデータを受信するための命令を備え、
前記コンピュータ可読記憶媒体が、前記第１のデータフォーマットの前記データを第２のデータフォーマットのデータに変換するための命令をさらに備え、前記第２のデータフォーマットが前記デジタル放送フォーマットに準拠し、
前記データを送信するための前記命令が、前記少なくとも１つの識別されたチャネルにおいて前記第２のフォーマットの前記データを送信するための命令を備える、
請求項５７に記載のコンピュータ可読記憶媒体。
【請求項６６】
前記第１のデータフォーマットの前記データを前記第２のデータフォーマットの前記データに変換するための前記命令が、前記第１のデータフォーマットと前記第２のデータフォーマットの両方に共通であり、その両方によってサポートされる特徴のセットに基づいて、前記第１のデータフォーマットの前記データを前記第２のデータフォーマットの前記データにトランスコードするための命令を備える、請求項６５に記載のコンピュータ可読記憶媒体。
【発明の詳細な説明】
【技術分野】
【０００１】
本出願は、その内容全体が参照により本明細書に組み込まれる、２００９年８月２６日に出願された米国特許出願１２／５４７，８３４号の一部継続出願である。本出願はまた、各々の内容全体が参照により本明細書に組み込まれる、２００９年７月１７日に出願された米国仮出願６１／２２６，６０８号、および２０１０年１月１５日に出願された米国仮出願６１／２９５，４９５号の利益を主張する。
【０００２】
本開示は、ネットワークにおけるデータの送信に関する。
【背景技術】
【０００３】
現在、ワイヤレスＨＤＭＩ（高品位マルチメディアインターフェース）など、マルチメディアデータのワイヤレスディスプレイのためのいくつかのソリューションが開発中である。これらのソリューションの主目的は、特定のコンポーネント（たとえば、セットトップボックス、デジタル多用途ディスク（ＤＶＤ）プレーヤ、コンピューティングデバイス）とディスプレイデバイスとの間のＨＤＭＩケーブルに取って代わることである。
【０００４】
いくつかのプロバイダは、非圧縮ビデオの送信のためのプロプライエタリ（ｐｒｏｐｒｉｅｔａｒｙ）方法を使用するソリューションを開発した。他のソリューションは、民生用電子デバイス（たとえば、ゲーム機またはＤＶＤプレーヤ）をターゲットにし、ホスト側とクライアント側の両方で専用ハードウェアを必要とし得る。そのような専用デバイスの電力消費量は極めて高いことがある。さらに、いくつかのソリューションにおける非圧縮ビデオの送信は、より高解像度のデータ送信をサポートする拡張能力を制限することがある。いくつかの技術は、汎用ディスプレイ拡張能力を可能にするために、ローカルワイヤレスネットワーク（たとえば、Ｗｉ−Ｆｉ）上のモバイル通信デバイスのためのワイヤレスディスプレイ拡張を提供する。
【発明の概要】
【０００５】
概して、本開示は、スペクトルの１つまたは複数の識別されたチャネルを使用してデータを送信するための技法に関する。いくつかの技法は、データ受信機および／またはテレビジョンなどの１つまたは複数の他の受信デバイスへの、通信デバイスから受信したデータのワイヤレス送信を可能にし得る。様々な事例において、これらの技法は、ソースデータを与えるソース通信デバイスと他の受信デバイスとの両方にワイヤレス結合されたスタンドアロンデバイスによって実施され得る。場合によっては、スタンドアロンデバイスは、第１のフォーマットから、受信デバイスが容易に使用できる別のフォーマットにデータを変換するトランスコーディング動作を実行し得る。
【０００６】
例示的な方法は、第１の通信デバイスを用いて、デジタル放送スペクトル中の現在利用可能な少なくとも１つのチャネルを識別することと、第１の通信デバイスを用いて、第２の通信デバイスから送られたデータを受信することとを備え得る。本方法は、デジタル放送スペクトルの少なくとも１つの識別されたチャネルにおいて第１の通信デバイスからデータを送信することであって、送信されるデータがデジタル放送フォーマットに準拠する、送信することをさらに備える。
【０００７】
例示的な通信デバイスは、１つまたは複数のプロセッサと、チャネル識別器と、受信機と、送信機とを備え得る。チャネル識別器は、デジタル放送スペクトル中の現在利用可能な少なくとも１つのチャネルを識別するように、１つまたは複数のプロセッサによって動作可能である。受信機は、第２の通信デバイスから送られたデータを受信するように、１つまたは複数のプロセッサによって動作可能である。送信機は、デジタル放送スペクトルの少なくとも１つの識別されたチャネルにおいてデータを送信するように、１つまたは複数のプロセッサによって動作可能であり、送信されるデータはデジタル放送フォーマットに準拠する。
【０００８】
例示的なコンピュータ可読記憶媒体は、通信デバイスの１つまたは複数のプロセッサに、デジタル放送スペクトル中の現在利用可能な少なくとも１つのチャネルを識別することと、第２の通信デバイスから送られたデータを受信することと、送信されるデータがデジタル放送フォーマットに準拠しており、デジタル放送スペクトルの少なくとも１つの識別されたチャネルにおいてデータを送信することと、を行わせるための命令を備える。
【０００９】
本開示で説明する技法は、ハードウェア、ソフトウェア、ファームウェア、またはその任意の組合せで実施され得る。たとえば、様々な技法が、１つまたは複数のプロセッサによって実施または実行され得る。本明細書で使用するプロセッサは、マイクロプロセッサ、特定用途向け集積回路（ＡＳＩＣ）、フィールドプログラマブルゲートアレイ（ＦＰＧＡ）、デジタル信号プロセッサ（ＤＳＰ）、または他の等価の集積またはディスクリート論理回路を指すことがある。ソフトウェアは、１つまたは複数のプロセッサによって実行され得る。本技法を実行する命令を備えるソフトウェアは、最初にコンピュータ可読媒体に記憶され、プロセッサによってロードされ実行され得る。
【００１０】
したがって、本開示はまた、プロセッサに、本開示で説明する様々な技法のいずれかを実行させる命令を備えるコンピュータ可読記憶媒体をも考慮に入れている。場合によっては、コンピュータ可読記憶媒体はコンピュータプログラム記憶製品の一部をなすことがあり、コンピュータプログラム記憶製品は、製造業者に販売されることがあり、および／またはデバイス中で使用されることがある。コンピュータプログラム製品はコンピュータ可読媒体を含むことがあり、場合によってはパッケージング材料を含むこともある。
【００１１】
１つまたは複数の態様の詳細を添付の図面および以下の説明に記載する。他の特徴、目的、および利点は、説明および図面、ならびに特許請求の範囲から明らかになるであろう。
【図面の簡単な説明】
【００１２】
【図１】ワイヤレス通信が可能である複数の通信デバイスと１つまたは複数のデータ受信機との一例を示すブロック図。
【図２】図１に示された通信デバイスのうちの１つの中に含まれ得るデータ変換ユニット／送信機のさらなる詳細の一例を示すブロック図。
【図３】ワイヤレスネットワークを介して第２の通信デバイスと通信する第１の通信デバイスであって、第２の通信デバイスがワイヤレスネットワークを介して１つまたは複数のデータ受信機と通信する、第１の通信デバイスの一例を示すブロック図。
【図４】ワイヤレスネットワークを介して第２の通信デバイスと通信する第１の通信デバイスであって、第２の通信デバイスがワイヤレスネットワークを介して１つまたは複数のデータ受信機／出力デバイスと通信する、第１の通信デバイスの別の例を示すブロック図。
【図５】ワイヤレスネットワーク（たとえば、Ｗｉ−Ｆｉネットワーク）を介して第２の通信デバイスと通信する第１の通信デバイス（たとえば、ハンドセット、ラップトップ）であって、第２の通信デバイスがワイヤレスネットワーク（たとえば、ＡＴＳＣ放送ネットワーク）を介してデジタルテレビジョン（ＴＶ）受信機と通信する、第１の通信デバイスの別の例を示すブロック図。
【図６】ワイヤレスネットワークを介して第２の通信デバイスと通信する第１の通信デバイスであって、第２の通信デバイスがワイヤレスネットワークを介してデジタルテレビジョン（ＴＶ）受信機と通信する、第１の通信デバイスの別の例を示すブロック図。
【図７Ａ】第１のデバイスから第２のデバイスにワイヤレス送信され、その後、表示するために第２のデバイスによってＴＶに送信される表示データの一例を示す概念図。
【図７Ｂ】第１のデバイスから第２のデバイスにワイヤレス送信され、その後、表示するために第２のデバイスによってＴＶに送信される表示データの一例を示す概念図。
【図８】図５に示された通信デバイスのうちの１つなど、通信デバイス内に実施され得る、チャネル識別器と連動する、変換ユニット／送信機の一例を示すブロック図。
【図９】図５に示された通信デバイスのうちの１つなど、通信デバイス内に実施され得る、チャネル識別器と連動する、変換ユニット／送信機の別の例を示すブロック図。
【図１０】図１〜図６のいずれかに示された通信デバイスのうちの１つなど、通信デバイスによるデータ通信のために実施され得るプロトコルスタックの一例を示す概念図。
【図１１】第１の通信デバイスによって第２の通信デバイスに送信され得るデータの例示的なデータフォーマットを示す概念図。
【図１２】図１〜図６のいずれかに示された通信デバイスのうちの１つなど、通信デバイスによって実行され得る方法の一例を示す流れ図。
【発明を実施するための形態】
【００１３】
図１は、１つまたは複数のワイヤレスネットワーク７を介したワイヤレス通信が可能である複数の通信デバイス１、２と１つまたは複数のデータ受信機９との一例を示すブロック図である。通信デバイス１は、通信デバイス２からデータを受信し、データをデータ受信機９に送ることが可能である。場合によっては、データは、オーディオデータ、ビデオデータ、テキストデータ、音声データ、およびグラフィックスデータのうちの少なくとも１つを含むマルチメディアデータを備え得る。
【００１４】
いくつかの事例では、ワイヤレスネットワーク７は、Ｗｉ−Ｆｉ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）８０２．１１規格）を介した通信など、ワイヤレスローカルエリアネットワーク（ＷＬＡＮ）を介した通信のためのサポートを提供するネットワークを備え得る。いくつかの事例では、ワイヤレスネットワーク７は、Ｂｌｕｅｔｏｏｔｈ（登録商標）を介した通信など、ワイヤレスパーソナルエリアネットワーク（ＷＰＡＮ）を介した通信のためのサポートを提供するネットワークを備え得る。場合によっては、ワイヤレスネットワーク７は、以下でより詳細に説明するように、ほんのいくつかの例を挙げれば、Ａｄｖａｎｃｅｄ  Ｔｅｌｅｖｉｓｉｏｎ  Ｓｙｓｔｅｍｓ  Ｃｏｍｍｉｔｔｅｅ（ＡＴＳＣ）フォーマット（ＡＴＳＣ  Ｍ／Ｈ（ＡＴＳＣモバイル／ハンドヘルド）フォーマットを含み得る）、Ｄｉｇｉｔａｌ  Ｖｉｄｅｏ  Ｂｒｏａｄｃａｓｔｉｎｇ（ＤＶＢ）フォーマット、Ｔｅｒｒｅｓｔｒｉａｌ  Ｄｉｇｉｔａｌ  Ｍｕｌｔｉｍｅｄｉａ  Ｂｒｏａｄｃａｓｔｉｎｇ（Ｔ−ＤＭＢ）フォーマット、Ｉｎｔｅｇｒａｔｅｄ  Ｓｅｒｖｉｃｅｓ  Ｄｉｇｉｔａｌ  Ｂｒｏａｄｃａｓｔｉｎｇ  Ｔｅｒｒｅｓｔｒｉａｌ（ＩＳＤＢ−Ｔ）フォーマット、または国際規格ＩＳＯ／ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）１３８１８−１によって与えられるＭｏｖｉｎｇ  Ｐｉｃｔｕｒｅ  Ｅｘｐｅｒｔｓ  Ｇｒｏｕｐ  Ｔｒａｎｓｐｏｒｔ  Ｓｔｒｅａｍ（ＭＰＥＧ−ＴＳ）フォーマットなど、デジタル放送フォーマットのためのデジタル放送スペクトル上の通信のためのサポートを提供するネットワークを備え得る。ＡＴＳＣ規格は、デジタルテレビジョン伝送のためにＡｄｖａｎｃｅｄ  Ｔｅｌｅｖｉｓｉｏｎ  Ｓｙｓｔｅｍｓ  Ｃｏｍｍｉｔｔｅｅによって開発された規格のセットである。ＡＴＳＣ  Ｍ／Ｈ規格は、モバイルテレビジョン伝送のためにＡｄｖａｎｃｅｄ  Ｔｅｌｅｖｉｓｉｏｎ  Ｓｙｓｔｅｍｓ  Ｃｏｍｍｉｔｔｅｅによって開発された規格のセットである。本明細書で使用する、「ＡＴＳＣ」は、デジタルテレビジョン（ＤＴＶ）のためのＡＴＳＣ規格および／またはＡＴＳＣ  Ｍ／Ｈ規格を含む任意のＡＴＳＣ関連規格を含み、指す。ＤＶＢ規格は、デジタルテレビジョン用の国際的に容認されたオープン規格のスイートであり、欧州電気通信標準化機構（European Telecommunications Standards Institute）（ＥＴＳＩ）と欧州電気標準化委員会（European Committee for Electrotechnical Standardization）（ＣＥＮＥＬＥＣ）と欧州放送連合（European Broadcasting Union）（ＥＢＵ）との合同技術委員会（Joint Technical Committee）（ＪＴＣ）によって公開されている。ＤＭＢは、モバイルデバイスにマルチメディアデータを送るためのデジタル無線伝送技術である。ＩＳＤＢは、デジタルテレビジョンおよびデジタル無線のための日本の規格である。
【００１５】
デジタル放送フォーマットは、固有または特定の宛先が、送信されたデータ中に与えられないか、またはそれによって指定されない放送フォーマットであり得る。たとえば、デジタル放送フォーマットは、ブロードキャストされたデータパケットまたはユニットのヘッダがいかなる宛先アドレスをも含まないフォーマットを備え得る。
【００１６】
場合によっては、ワイヤレスネットワーク７は、赤外線または他の無線周波数通信など、他のワイヤレス通信のためのサポートをさらに提供し得る。これらのワイヤレス通信は、通信デバイス１がチャネル情報をデータ受信機９に与えることを可能にし得る。
【００１７】
いくつかの例では、通信デバイス２は、ワイヤレスネットワーク７を介して通信デバイス１とワイヤレス通信することが可能であり、通信デバイス２はワイヤレスネットワーク７と通信する（たとえば、図１中の通信デバイス２とワイヤレスネットワーク７との間の点線）。しかしながら、他の例では、通信デバイス１または通信デバイス２は、他方に対してドッキングまたは場合によっては結合され得、その場合、これらのデバイスは、ワイヤレスネットワーク７を使用しない直接通信を有し得る（たとえば、図１中の通信デバイス２と通信デバイス１との間の点線）。
【００１８】
通信デバイス１は、指定されたロケーションにおいてデータを送信または受信する、１つまたは複数のデバイスの固定システム、あるいは１つまたは複数のデバイスのモバイルシステムを備え得る。各デバイスは、１つまたは複数のプロセッサを備え得る。通信デバイス１は、１つまたは複数のスタンドアロンデバイスを備え得るか、またはより大きいシステムの一部であり得る。たとえば、通信デバイス１は、他のデバイスとワイヤレス通信するポータブルデバイスの周辺デバイスおよび／またはアクセサリを含む１つまたは複数の周辺デバイス（たとえば、キーボード、マウス）を備え得る。通信デバイス１はまた、データ受信機９など、複数の異なるデバイスへのメディアデータを妨害することが可能であるメディアサーバを備えるか、またはメディアサーバ内に含まれ得る。場合によっては、通信デバイス１は、上記で説明したデバイスの一部または全部において使用され得る、１つまたは複数の集積回路、あるいはチップ内に含まれる構成要素を含み得る。
【００１９】
通信デバイス１は、ワイヤレスネットワーク７を介して通信デバイス２とワイヤレス通信することが可能である。たとえば、通信デバイス１は、通信デバイス２のデータ送信機／受信機４によって送信されたデータを受信し得る。通信デバイス２はまた、指定されたロケーションにおいてデータを送信または受信する、１つまたは複数のデバイスの固定システム、あるいは１つまたは複数のデバイスのモバイルシステムを備え得る。各デバイスは、１つまたは複数のプロセッサを備え得る。通信デバイス２は、ワイヤレス通信デバイス（たとえば、ワイヤレスモバイルハンドセットまたはデバイス）、デジタルカメラ、デジタルテレビジョン（ＴＶ）、ビデオカメラ、テレビ電話、デジタルマルチメディアプレーヤ、携帯情報端末（ＰＤＡ）、ビデオゲーム機、パーソナルコンピュータまたはラップトップデバイス、スマートブック／スマートフォン、あるいは他のビデオデバイスを備えるか、またはその一部であり得る。場合によっては、通信デバイス２は、上記で説明したデバイスの一部または全部において使用され得る、１つまたは複数の集積回路、あるいはチップ内に含まれる構成要素を含み得る。
【００２０】
いくつかの例では、通信システム１は、ビデオゲームまたはゲームアプリケーションのために使用され得る。これらの例では、通信システム１の１人または複数のユーザは、通信システム１へのネットワーク接続（たとえば、ワイヤレスネットワーク接続）を介して他のユーザとの任意の対話型アプリケーションを含む、１つまたは複数のゲームをプレイし得る。リアルタイム情報を含む、ゲーム用のグラフィックスおよび／またはビデオデータは、データ受信機９に与えられ得、次いで、データ受信機９に結合された別個のディスプレイデバイス（たとえば、高精細度テレビジョンまたはディスプレイデバイス）上に表示され得る。この方式では、ユーザは、この別個のディスプレイデバイス上でゲームアプリケーション用の表示データを閲覧し得る。
【００２１】
図１に示すように、通信デバイス１は、チャネル識別器５に結合されたデータ変換ユニット／送信機３を含み得る。通信デバイス１は、データを受信し、処理し、生成することが可能である。たとえば、通信デバイス１は、セルラーネットワーク、ローカルおよび／またはパーソナルワイヤレスネットワーク（たとえば、Ｗｉ−Ｆｉ、Ｂｌｕｅｔｏｏｔｈ（登録商標））、あるいは、たとえば、ＡＴＳＣ、ＤＶＢ、ＩＳＤＢ−Ｔ、またはＴ−ＤＭＢを含む放送ネットワークを含む、多くの可能な無線またはアクセスネットワークのいずれかの上で（たとえば、通信デバイス２から）データを受信し得る。場合によっては、通信デバイス１は、ワイヤードインターフェース上で、あるいは１つまたは複数の埋込みインターフェースを介してデータを受信し得る。データはまた、カメラまたは他のカムコーダアプリケーション用の画像／ビデオセンサを介して受信されたデータなど、非圧縮フォーマットのデータを備え得る。いくつかの例では、データは、オーディオデータ、ビデオデータ、グラフィックスデータ、テキストデータ、音声データ、またはメタデータのうちの１つまたは複数を含み得る。
【００２２】
いくつかの例では、通信デバイス１は、ワイヤレスネットワーク７のうちの１つであり得るワイヤレスローカルエリアネットワークを介して通信デバイス２からデータを受信し得る。たとえば、いくつかの特定のシナリオでは、通信デバイス１および通信デバイス２は、任意のＷＬＡＮ（たとえば、Ｗｉ−Ｆｉ）プロトコルまたはＷＰＡＮ（たとえば、Ｂｌｕｅｔｏｏｔｈ（登録商標））プロトコルを介して情報を交換し得る。
【００２３】
通信デバイス１は、さらに、ワイヤレスネットワーク７を通して、データをデータ受信機９などの１つまたは複数の他のデバイスにブロードキャストするか、または場合によっては送信することが可能である。データ変換ユニット／送信機３は、データを特定のデジタル放送フォーマットに変換することが可能である。たとえば、データ変換ユニット／送信機３は、特定のデジタル放送フォーマット（たとえば、ＡＴＳＣ、ＤＶＢ、ＩＳＤＢ−Ｔ、Ｔ−ＤＭＢ、ＭＰＥＧ−ＴＳ）に準拠するフォーマットにデータを符号化し、そのデータを変調し、次いで送信することが可能であり得る。
【００２４】
チャネル識別器５は、通信デバイス１のうちの１つまたは複数のデバイスが少なくとも１つの利用可能なチャネルの識別に関与し得る場合、スペクトルのうちの少なくとも１つの利用可能なチャネルを識別することが可能である。たとえば、少なくとも１つの利用可能なチャネルの識別は、通信デバイス１のうちの１つまたは複数のデバイスによって開始され得る。場合によっては、チャネル識別器５は、デジタルテレビジョン放送スペクトルなどのデジタル放送スペクトルの未使用および／または無認可の部分中の少なくとも１つの利用可能なチャネルを識別し得る。場合によっては、少なくとも１つの利用可能なチャネルはテレビジョン帯域ホワイトスペースを備え得る。２００８年１１月４日に連邦通信委員会（ＦＣＣ）によって採用され、２００８年１１月１４日にＦＣＣ  Ｏｒｄｅｒ  ０８−２６０としてリリースされた「Ｓｅｃｏｎｄ  Ｒｅｐｏｒｔ  ａｎｄ  Ｏｒｄｅｒ  ａｎｄ  Ｍｅｍｏｒａｎｄｕｍ  Ｏｐｉｎｉｏｎ  ａｎｄ  Ｏｒｄｅｒ」において指定されているように、「ホワイトスペース」は、認可されたサービスによって現在使用されておらず、したがって無認可の無線送信機によって使用され得る、放送テレビジョンスペクトルの未使用の部分またはロケーションを備え得る。
【００２５】
場合によっては、利用可能なチャネルは、現在占有されていないチャネルを備え得る。一例では、利用可能なチャネルは、許可または認可されたユーザ、たとえば、ＦＣＣによって認可されたユーザによって現在使用されていないチャネルを備え得る。一例では、利用可能なチャネルは、認可されたユーザまたは無認可のユーザ、たとえば、他のホワイトスペースチャネルユーザのいずれかによって現在使用されていないチャネルを備え得る。場合によっては、利用可能なチャネルは、別の認可されたユーザから２次ライセンスを取得したユーザによって使用され得るチャネルを備え得る。
【００２６】
１つまたは複数の利用可能なチャネルを識別すると、変換ユニット／送信機３は、少なくとも１つの識別された利用可能なチャネルを使用して、ワイヤレスネットワーク７を介してデータをデータ受信機９に送信し得る。場合によっては、通信デバイス１は、通信デバイス１または通信デバイス２内で局所的に動作している１つまたは複数のサービスあるいはアプリケーションの実行に基づいて、上記で説明した行為のうちの１つまたは複数を、自動的にまたはユーザ入力を介してのいずれかで実行する。データ受信機９は、通信デバイス１から受信したブロードキャストデータを復調および／または復号するための機能を含み得る。
【００２７】
上記で説明したように、チャネル識別器５は、特定のデジタル放送フォーマットのデジタル放送スペクトル中の現在利用可能な少なくとも１つの利用可能なチャネルを識別することが可能である。一例では、チャネル識別器５は、１つまたは複数のチャネル範囲または帯域内の信号情報を感知することによって、デジタル放送スペクトル内で少なくとも１つの利用可能なチャネルを識別するために使用されるスペクトルセンサを含み得る。一例では、チャネル識別器５は、現在利用可能である少なくとも１つの利用可能なチャネルを識別するために、データベース（たとえば、図６に示すデータベースなど、デジタルＴＶ帯域データベース）にアクセスし得る。
【００２８】
たとえば、通信デバイス１は、たとえば、Ｇｌｏｂａｌ  Ｐｏｓｉｔｉｏｎｉｎｇ  Ｓｙｓｔｅｍ（ＧＰＳ）または他の同様の構成要素、パイロット信号、あるいは（Ｉｎｔｅｒｎｅｔ  Ｐｒｏｔｏｃｏｌ）アドレスベースのロケーションルックアップサービスを含む他のロケーション技法を使用することによって、それにより通信デバイス１がそれの地理的ロケーションを判断することが可能である、ジオロケーション機能を含み得る。この例では、通信デバイス１は、そのようなロケーション情報をデジタルＴＶ帯域データベースに与え得る。デジタルＴＶ帯域データベースは、ロケーションに基づいてチャネル情報でポピュレートされ得、通信デバイス１によって現在占有されている地理的領域内の任意の利用可能なチャネルのリストを通信デバイス１に与えることが可能であり得る。
【００２９】
いくつかの例では、通信デバイス１は、通信デバイス１のインターネットプロトコル（ＩＰ）アドレスを使用してロケーション推定を介してそれの地理的ロケーションを判断することが可能であり得る。ＩＰアドレスによるジオロケーションは、通信デバイス１のパブリックＩＰアドレスを、他の電子的に近隣のサーバ、ルータ、または既知のロケーションを有する他のデバイスのＩＰアドレスと比較することによって、通信デバイス１の地理的緯度、経度、また潜在的には市、および州を判断する技法である。これらの例では、通信デバイス１は、それのＩＰアドレスを（たとえば、ワイヤレス通信を介して）外部サーバに与え得る。外部サーバは、既知のロケーションを有する他のデバイスのＩＰアドレスを含んでいるデータベースにアクセスし得る。外部サーバは、通信デバイス１のＩＰアドレスを、データベース内に既知のロケーションを有するデバイスのＩＰアドレスと比較することによって、通信デバイス１のロケーションの推定値を取得するための技法を使用し得、次いで、この推定されたロケーションを通信デバイス１に与え得る。外部サーバは、場合によっては、データベース内のどのデバイスが、通信デバイス１のＩＰアドレスに最もぴったり一致する、またはそれに似ているＩＰアドレスを有するかを判断することによって比較を実行し得る。
【００３０】
チャネル識別器５は、データ変換ユニット／送信機３が使用する、識別された利用可能なチャネルのうちの１つまたは複数を自動的に選択し得る。場合によっては、通信デバイス１は、識別された利用可能なチャネルのリストを通信デバイス２に与え得る。次いで、通信デバイス２のユーザまたはアプリケーションは、利用可能なチャネルのうちの１つまたは複数を選択し得、次いで、通信デバイス２は（１つまたは複数の）チャネル選択を通信デバイス１に送り得る。いくつかの事例では、通信デバイス２上で実行しているアプリケーションは、複数の利用可能なチャネルを要求し得る。たとえば、アプリケーションは、同じ番組コンテンツまたはデータをデータ受信機９のうちの複数の異なるデータ受信機に異なるチャネル上で送ることを望み得る。場合によっては、アプリケーションは、異なる番組コンテンツまたはデータをデータ受信機９のうちの同じデータ受信機に異なるチャネル上で送ることを望み得る。これらは、利用可能なチャネルのうちの複数のチャネルが通信デバイス２によって選択され得るほんのいくつかの例示的な事例である。
【００３１】
図１に示すように、通信デバイス１は、チャネル送信機１１を随意に含み得る。通信デバイス１は、デジタル放送スペクトルの使用されていない部分上でデータを送信することと、１つの送信チャネルから別の送信チャネルに切り替えることとが可能である。たとえば、通信デバイス１は、スペクトルの使用されていない部分中の識別された利用可能なチャネルを利用し、この利用可能なチャネルを使用してワイヤレスネットワーク７を介してデータをデータ受信機９に送信し得る。いくつかの事例では、通信デバイス１は、後で認可ユーザによるチャネルの使用を検出すると、特定のチャネルを空にする必要があり得る。これらの事例では、通信デバイス１は、さらなるデータをデータ受信機９に送信する際に使用するための異なる利用可能なチャネルを識別する必要があり得る。そのような事例では、チャネル送信機１１は、ワイヤレスネットワーク７上の通信を介してチャネル変更情報をデータ受信機９に送信することが可能である。
【００３２】
たとえば、チャネル識別器５は、通信デバイス１がデータを送信するために使用するために利用可能である第１のチャネルを第１の時点において識別し得る。チャネル送信機１１は、ワイヤレスネットワーク７を介して情報をデータ受信機９に送り得、データ受信機９が第１のチャネルを判断または識別することを可能にする。たとえば、チャネル送信機１１は、第１のチャネルを直接指定する情報を送り得るか、または場合によってはデータ受信機９が受信情報に基づいて第１のチャネルを判断することを可能にする。
【００３３】
後の時点において、チャネル識別器５は、第１のチャネルが、通信デバイス１が使用するためにもはや利用可能でないと判断し得る。たとえば、別のユーザ（たとえば、認可ユーザ）が第１のチャネルの占有を引き継いだ場合、または場合によっては第１のチャネルが利用不可能になった場合、チャネル識別器５は、ワイヤレスネットワーク７を介して後続のデータを送る際に通信デバイス１が使用するために現在利用可能である、第２の異なるチャネルを識別する必要があり得る。そのような第２のチャネルを識別すると、チャネル送信機１１は、データ受信機９が、新しい第２のチャネルを判断または識別することを可能にする情報を、ワイヤレスネットワーク７を介して送信することが可能である。次いで、データ受信機９は、第２のチャネル上で通信デバイス１からデータ送信を受信することが可能である。
【００３４】
（たとえば、ユーザのリスニングおよび／または閲覧エクスペリエンスへの）最小限の中断でチャネル変更を行うために、閉ループ制御機構またはプロトコルが利用され得る。そのような制御機構は、ワイヤレスネットワーク７を介したチャネル送信機１１とデータ受信機９との間の通信プロトコルを備え得る。たとえば、チャネル送信機１１は、データ受信機９が、データ受信機９内に含まれるデバイスまたは場合によってはデータ受信機９に結合されたデバイス（たとえば、ディスプレイデバイス）のエンドユーザへの最小限の中断でチャネルを効率的に変更することができるように、ワイヤレスネットワーク７を介してチャネル変更情報をデータ受信機９に送信するために赤外線（ＩＲ）または無線周波数（ＲＦ）通信を利用し得る。場合によっては、データ変換ユニット／送信機３は、データ受信機９によって処理されたデータフローの破壊または影響を低減するかまたはなくすために、前に使用されたチャネル上と新たに選択されたチャネル上の両方で冗長情報を送り得る。
【００３５】
いくつかの例では、チャネル送信機１１は、通信デバイス１内に含まれるポータブルデバイス内に組み込まれ得る、低電力、低コストの赤外線送信機を備え得る。チャネル送信機の送信電力は、構成可能であり得、またユーザプログラム可能であり得る。たとえば、チャネル送信機１１は、受信機との見通し線中にないことがある。この場合、チャネル送信機１１が赤外線ベースの送信機を備える場合、チャネル送信機１１の出力電力がより高いので、光が障害物から跳ね返ってデータ受信機９に到達し、ループを閉じることが可能になり得る。代替的に、チャネル送信機がＩＲベースの送信機を備える場合、チャネル送信機１１は、潜在的にデータ受信機９に向けられた反射器を有し得る。
【００３６】
しかしながら、チャネル送信機１１はＩＲベースの通信を与えるように限定されない。たとえば、チャネル送信機１１は、ワイヤレスネットワーク／通信７を介したデータ受信機９への任意の数の無線周波数またはワイヤレス通信を与え得る。たとえば、チャネル送信機１１は、ＩＲの代替として、またはＩＲに加えて、Ｂｌｕｅｔｏｏｔｈ（登録商標）、ＺｉｇＢｅｅ（登録商標）、超広帯域（ＵＷＢ）、ワイヤレスパーソナルエリアネットワーク（ＷＰＡＮ）、または他の低電力、ワイヤレスＲＦプロトコルを実施し得る。したがって、チャネル送信機１１は、チャネル情報を送信するために、ＩＲ通信、ＲＦ通信、または両方の組合せを利用することができる。
【００３７】
一態様では、通信デバイス１は、通信デバイス２からデータを受信することが可能である。通信デバイス１のチャネル識別器５は、ワイヤレスネットワーク７のうちの１つ中のスペクトルなど、スペクトルの少なくとも１つのチャネルを識別し得る。次いで、データ変換ユニット／送信機３は、スペクトルの少なくとも１つの識別されたチャネルにおいてデータを送信し得る。たとえば、データ変換ユニット／送信機３は、ワイヤレスネットワーク７を介してデータをデータ受信機９にブロードキャストし得る。
【００３８】
通信デバイス２は、第１のデータフォーマットでデータを通信デバイス１に送り得る。次いで、通信デバイス１は、少なくとも１つの識別されたチャネルにおいて第２のデータフォーマットでこのデータを送り得る。第１のデータフォーマットは、第２のデータフォーマットと同じであることも同じでないこともある。たとえば、第１のデータフォーマットが第２のデータフォーマットと同じである場合、通信デバイス１は、データ受信機９へのデータの送信またはブロードキャストより前にデータを必ずしも改変しないことがある。一方、第１のデータフォーマットが第２のデータフォーマットとは異なる場合、通信デバイス１は、以下でさらに説明するように、データをデータ受信機９に送信する前にデータを符号化またはトランスコードし得る。いくつかの例では、通信デバイス１は通信デバイス２からデジタル放送フォーマットで送られたデータを受信し得、デジタル放送フォーマットで通信デバイス１はワイヤレスネットワーク７を介してデータをデータ受信機９にブロードキャストするかまたは場合によっては送信し得る。
【００３９】
いくつかの例では、通信デバイス１は、通信デバイス２にドッキングされるかまたは場合によっては直接結合され得る。他の例では、通信デバイス１および通信デバイス２は、第１のワイヤレスプロトコル（たとえば、ＷＬＡＮ、ＷＰＡＮプロトコル）を使用してワイヤレスネットワーク７を介して通信し得る。しかしながら、通信デバイス１は、異なるプロトコルまたは規格を使用してデータをデータ受信機９に送信し得る。たとえば、通信デバイス１は、デジタルテレビジョン放送フォーマット（たとえば、ＡＴＳＣ）など、デジタル放送フォーマットに従って、ワイヤレスネットワーク７を介してデータをブロードキャストし得る。したがって、ワイヤレスネットワーク７は、異なる通信規格またはプロトコルをサポートする複数の異なるネットワークタイプを備え得る。いくつかの事例では、通信デバイス２および通信デバイス１は、第１のワイヤレスネットワーク（たとえば、ＷＬＡＮ、ＷＰＡＮ）上で通信し得、通信デバイス１は、第２の異なるワイヤレスネットワーク（たとえば、デジタル放送ネットワーク）上でデータ受信機９と通信することができる。ここで、第１および第２のワイヤレスネットワークの各々はワイヤレスネットワーク７中に含まれる。したがって、通信デバイス２は、通信デバイス２内にそのような能力または機能を必ずしも含むことなしに、データ受信機９への通信デバイス１のブロードキャスト通信機能を利用し得る。代わりに、通信デバイス２はワイヤレス（たとえば、ＷＬＡＮ、ＷＰＡＮ）通信上で通信デバイス１と直接またはワイヤレスに通信することが可能であり、次いで通信デバイス１がデータ受信機９へのブロードキャスト通信を処理することを可能にする。
【００４０】
通信デバイス２から送られたデータは、通信デバイス２の表示情報を含み得る。表示情報は、通信デバイス２上にレンダリングされる１次表示データを含み得る。たとえば、１次表示データは、通信デバイス２のディスプレイ上（たとえば、モバイルデバイスのスクリーン上）に表示されるデータを含み得る。次いで、通信デバイス１は、（たとえば、デジタルテレビジョンのディスプレイ上でなど、データ受信機９に結合されたディスプレイ上の）表示のために１次表示データをデータ受信機９に送信することによって、少なくとも１つの識別されたチャネルにおいて通信デバイス１からのデータを送信し得る。
【００４１】
しかしながら、いくつかの事例では、少なくとも１つの識別されたチャネルにおいて通信デバイス１からのデータを送信することは、通信デバイス２上に表示される１次表示データとは異なる２次表示データを送信することを含み得る。通信デバイス１は、通信デバイス２上に実際に表示されない２次表示データを含む、通信デバイス２からの表示情報を受信し得る。ただし、２次表示データは、データ受信機９に結合されたディスプレイ上に表示され得る。たとえば、これは、通信デバイス２のユーザが、通信デバイス２のディスプレイスクリーン上に完全に収まり得ないコンテンツ（たとえば、ウェブページ、デスクトップ情報）を見ることを希望し得るときに行われ得る。
【００４２】
いくつかの例では、通信デバイス２によって通信デバイス１に送られる表示データは、通信デバイス２によって表示され得る１次表示データと、また、１次表示データとは異なる２次表示データの両方を含み得、（たとえば、２次表示データが、通信デバイス２によって与えられるディスプレイスクリーン上に収まらない場合）２次表示データは通信デバイス２上に表示されない。これらの例では、通信デバイス１は、表示のために１次表示データおよび／または２次表示データをデータ受信機９に送信し得る。たとえば、データ受信機９が通信デバイス２によって与えられるディスプレイスクリーンよりも大きいディスプレイスクリーンに結合されている場合、データ受信機９に結合されたディスプレイスクリーンは、たとえば２次表示データを表示することなどによって、より大量のデータを表示することが可能であり得る。データ受信機９に結合されたディスプレイスクリーンはまた、１次表示データを表示するように構成され得る。
【００４３】
いくつかの例では、通信デバイス２から送られたデータは、通信デバイス２のヒューマンインターフェースデバイス（たとえば、タッチスクリーンなど、タッチベースのデバイス）によって与えられたデータを含み得る。通信デバイス１は、ヒューマンインターフェースデバイスによって与えられたデータをデータ受信機９に送信し得、ヒューマンインターフェースデバイスによって与えられたデータは、データ受信機９に結合されたディスプレイスクリーンによって表示されるアイコン（たとえば、カーソル）を制御するためにデータ受信機９によって使用されることが可能である。たとえば、通信デバイス２のタッチスクリーンは、たとえば、データ受信機９のディスプレイ上のカーソルまたは他のアイコンを制御するタッチパッドとして使用され得る。
【００４４】
図２は、図１に示すデータ変換ユニット／送信機３のさらなる詳細の一例を示すブロック図である。データ変換ユニット／送信機３は、通信デバイス２の一部であり得る。図２に示すように、データ変換ユニット／送信機３はデータ受信機６とデータ送信機とを含み得る。データ変換ユニット／送信機３はまた、変換ユニット８と静穏化ユニット１５とを随意に含み得る。
【００４５】
データ受信機６は、１つまたは複数のソースからデータを受信することが可能である。たとえば、データ受信機６は、セルラーネットワーク、ローカルワイヤレスネットワーク（たとえば、Ｗｉ−Ｆｉ、Ｂｌｕｅｔｏｏｔｈ（登録商標））、あるいは、たとえば、ＡＴＳＣ、ＤＶＢ、ＩＳＤＢ−Ｔ、またはＴ−ＤＭＢを含む放送ネットワークを含む、多くの可能な無線またはアクセスネットワークのいずれかの上で（たとえば、通信デバイス２から）データを受信し得る。データ送信機は、データ変換ユニット／送信機３からのデータを送信することが可能である。データ送信機３は、セルラーネットワーク、ローカルワイヤレスネットワーク（たとえば、Ｗｉ−Ｆｉ、Ｂｌｕｅｔｏｏｔｈ（登録商標））、あるいは、たとえば、ＡＴＳＣ、ＤＶＢ、ＩＳＤＢ−Ｔ、またはＴ−ＤＭＢを含む放送ネットワークを含む、多くの可能な無線またはアクセスネットワークのいずれかの上でデータを送ることができる。
【００４６】
データ変換ユニット／送信機３が任意の受信データをデータ受信機に送る前にそのようなデータを異なるフォーマットに変換する必要があり得る状況では、変換ユニット８はそのような変換動作を実行し得る。以下でより詳細に説明するように、変換ユニット８は符号化および／またはトランスコーディング動作を実行し得る。たとえば、通信デバイス１が第１のフォーマット（たとえば、Ｍｏｖｉｎｇ  Ｐｉｃｔｕｒｅ  Ｅｘｐｅｒｔｓ  Ｇｒｏｕｐ（ＭＰＥＧ）４Ｐａｒｔ２）のデータを受信するが、第２のフォーマット（たとえば、ＭＰＥＧ−２）のデータをデータ受信機に送る場合、変換ユニット８は第１のフォーマットのデータを第２のフォーマットのデータにトランスコードするために１つまたは複数のトランスコーディング機能を実行し得る。
【００４７】
静穏化ユニット１５は、スペクトル感知動作中に送信静穏化間隔を与えることが可能である。たとえば、チャネル識別器５（図１）がスペクトル感知機能を含む場合、静穏化ユニット１５は静穏化時間間隔を与え得る。そのような時間間隔中に、データ変換ユニット／送信機３は、ワイヤレスネットワーク７を介してデータをデータ受信機９に送信することを控え得る。たとえば、データ変換ユニット／送信機３は、そのデータ送信機能を一時的に無効化するか、またはさらには一時的にオフにすることなどによって、データを送信することを控え得る。一例では、チャネル識別器５は、少なくとも１つの時間間隔中に、スペクトルの少なくとも１つのチャネル（たとえば、ホワイトスペースチャネル）が使用のために利用可能であるかどうかを検出し得る。この少なくとも１つの時間間隔中に、静穏化ユニット１５は（たとえば、データ送信機１０を一時的に無効化するかまたはオフにすることによって）任意のデータをデータ受信機９に送信することをデータ送信機１０に控えさせ得、データ送信動作とスペクトル感知動作との間の潜在的な干渉を低減し得る。図２では別個の随意の構成要素として示されているが、静穏化ユニット１５は、いくつかの例示的な場合、データ送信機１０内に含まれ得る。
【００４８】
図３は、ワイヤレスネットワーク１８を介して第２の通信デバイス２０と通信する第１の通信デバイス１２であって、第２の通信デバイス２０がワイヤレスネットワーク２８を介して１つまたは複数のデータ受信機３０と通信する、第１の通信デバイスの一例を示すブロック図である。通信デバイス１２は、データ（たとえば、マルチメディアデータ）を通信デバイス２０に送ることが可能である。場合によっては、データは、オーディオデータ、ビデオデータ、テキストデータ、音声データ、グラフィックスデータ、および補助対話性データのうちの少なくとも１つを含むマルチメディアデータを備え得る。
【００４９】
通信デバイス１２は、図１の通信デバイス２と同様に、指定されたロケーションにおいてデータを送信または受信する、１つまたは複数のデバイスの固定システム、あるいは１つまたは複数のデバイスのモバイルシステムを備え得る。各デバイスは、１つまたは複数のプロセッサを備え得る。通信デバイス１２は、ワイヤレス通信デバイス（たとえば、ワイヤレスモバイルハンドセットまたはデバイス）、デジタルカメラ、デジタルテレビジョン（ＴＶ）、ビデオカメラ、テレビ電話、デジタルマルチメディアプレーヤ、携帯情報端末（ＰＤＡ）、ビデオゲーム機、パーソナルコンピュータまたはラップトップデバイス、スマートブック／スマートフォン、あるいは他のビデオデバイスを備えるか、またはその一部であり得る。場合によっては、通信デバイス１２は、上記で説明したデバイスの一部または全部において使用され得る、１つまたは複数の集積回路、あるいはチップ内に含まれる構成要素を含み得る。
【００５０】
図３に示すように、通信デバイス１２は１つまたは複数のマルチメディアプロセッサ１４を含む。マルチメディアプロセッサは、それぞれ、グラフィックスデータと、オーディオデータと、ビデオデータとを処理するための、１つまたは複数のグラフィックスプロセッサ（たとえば、グラフィックス処理ユニット）と、オーディオプロセッサと、ビデオプロセッサとを含み得る。マルチメディアプロセッサ１４はまた、ディスプレイプロセッサまたはオーディオ出力プロセッサなど、出力のためのデータを処理する１つまたは複数のプロセッサを含み得る。
【００５１】
マルチメディアプロセッサ１４は、データを通信デバイス１２のデータ変換ユニット／送信機１６に与え得る。図２に示すデータ変換ユニット／送信機３と同様に、データ変換ユニット／送信機１６は、データ受信機と、データ送信機と、随意の変換ユニットとを含み得る。通信デバイス１２が、ワイヤレスネットワーク１８を介してデータを送信する前にデータ（たとえば、オーディオデータ、ビデオデータ）を符号化する場合、随意の変換ユニットはそのような符号化機能を実行し得る。そのような変換ユニットはまた、通信デバイス１２が別個のデバイスから符号化されたデータを受信するとき、復号機能を実行し得る。
【００５２】
通信デバイス２０は、ワイヤレスネットワーク１８を介して、通信デバイス１２からの送信データを受信し得る。いくつかの事例では、ワイヤレスネットワークはワイヤレスローカルネットワークを備え得る。図１の通信デバイス１と同様に、通信デバイス２０は、データ変換ユニット／送信機２４とチャネル識別器とを含み得る。データ変換ユニット／送信機２４はデータ変換ユニット／送信機３と同様であり得、チャネル識別器２６はチャネル識別器５と同様であり得る。データ変換ユニット／送信機２４およびチャネル識別器２６は、１つまたは複数のプロセッサ２２によって実行されるか、またはプロセッサ２２中に実施され得る。通信デバイス２０は、ワイヤレスネットワーク２８を介してデータを１つまたは複数のデータ受信機３０に送信することが可能である。ワイヤレスネットワーク２８は、いくつかの例では、デジタルテレビジョン放送ネットワークなど、デジタル放送ネットワークを備え得る。図３には示されていないが、通信デバイス２０はまた、図１に示すチャネル送信機１１と同様に機能し得るチャネル送信機（図示せず）を随意に含み得る。
【００５３】
図３の例では、ワイヤレスネットワーク１８は、ワイヤレスネットワーク２８とは異なり得る。したがって、通信デバイス１２は、ワイヤレスネットワーク１８を介してデータを通信デバイス２０に送り得、通信デバイス２０は、異なるワイヤレスネットワーク２８を介してデータをデータ受信機３０に送り得る。
【００５４】
通信デバイス１２は、第１のデータフォーマットでデータを通信デバイス２０に送り得る。次いで、通信デバイス２０は、少なくとも１つの識別されたチャネルにおいて第２のデータフォーマットでこのデータを送り得る。第１のデータフォーマットは、第２のデータフォーマットと同じであることも同じでないこともある。たとえば、第１のデータフォーマットが第２のデータフォーマットと同じである場合、通信デバイス２０は、データ受信機３０へのデータの送信またはブロードキャストより前にデータを必ずしも改変しないことがある。一方、第１のデータフォーマットが第２のデータフォーマットとは異なる場合、通信デバイス２０は、以下でさらに説明するように、データをデータ受信機３０に送信する前にデータを符号化またはトランスコードし得る。
【００５５】
いくつかの例では、ワイヤレスネットワーク１８を介して通信デバイス１２と通信デバイス２０との間で交換されるデータのフォーマット（たとえば、ＭＰＥＧ−４フォーマット）は、ワイヤレスネットワーク２８を介して通信デバイス２０とデータ受信機３０との間で交換されるデータのフォーマット（たとえば、ＭＰＥＧ−２）とは異なり得る。さらに、ワイヤレスネットワーク１８は、ワイヤレスネットワーク２８とは異なるタイプのネットワークであり得る。したがって、通信デバイス２０は、潜在的に、１つのワイヤレスネットワーク（たとえば、Ｗｉ−Ｆｉ、Ｂｌｕｅｔｏｏｔｈ（登録商標））を介して第１のフォーマットで通信デバイス１２からデータを受信し、次いで、別のワイヤレスネットワーク（たとえば、ＡＴＳＣ放送ネットワーク）を介して第２のフォーマットで受信データをデータ受信機に送信するブリッジまたはインターフェースモジュールと見なされ得る。
【００５６】
通信デバイス１２は、いくつかの例では、必ずしもデータ通信をデータ受信機３０に直接与えることが可能である任意の機能を含む必要がないことがあるが、代わりに、これらの通信を管理し、制御する際に通信デバイス２０に依拠し得る。データ受信機３０とのこれらの通信のための任意の専用の機能は、通信デバイス１２ではなく通信デバイス２０内に含まれ得る。したがって、通信デバイス１２は、ワイヤレスネットワーク１８を介して、通信デバイス２０と通信することを可能にする機能のみを含む必要があり得る。
【００５７】
通信デバイス２０は、いくつかの例では、通信デバイス１２に関してペリフェラル／アクセサリデバイスとして働き得るポータブルデバイスを備え得る。たとえば、通信デバイス２０は、（たとえば、通信デバイス１２が、キーボードまたはマウスを含まないことがあるモバイルハンドセットを備える場合）、通信デバイス１２とワイヤレス通信し、通信デバイス１２で動作可能である着脱可能／折り畳み可能なキーボードまたはマウスを備え得る。
【００５８】
図４は、ワイヤレスネットワーク３８を介して第２の通信デバイス４０と通信する第１の通信デバイス３２であって、第２の通信デバイス４０がワイヤレスネットワーク４６を介して１つまたは複数のデータ受信機／出力デバイス４８Ａ〜４８Ｎと通信する、第１の通信デバイスの別の例を示すブロック図である。図３の通信デバイス１２と同様に、通信デバイス３２は、１つまたは複数のマルチメディアプロセッサ３４とデータ変換ユニット／送信機３６とを含む。
【００５９】
さらに、通信デバイス３２は、マルチメディアプロセッサ３４に通信可能に結合された１つまたは複数の出力デバイス３３を含む。出力デバイス３３は、ディスプレイデバイスとスピーカーとを含み得る。マルチメディアプロセッサ３４は、出力デバイス３３に出力データを与え得る。たとえば、マルチメディアプロセッサ３４のディスプレイプロセッサは、マルチメディアプロセッサ３４内のビデオプロセッサからのビデオデータおよび／またはグラフィックスプロセッサからのグラフィックスデータを処理し得、ディスプレイ出力を出力デバイス３３内のディスプレイデバイスに与え得る。マルチメディアプロセッサ３４のオーディオ出力プロセッサは、オーディオ出力を出力デバイス３３内に含まれる任意のスピーカーに与え得る。
【００６０】
図３に示す通信デバイス２０と同様に、通信デバイス４０は、チャネル識別器４４に通信可能に結合されたデータ変換ユニット／送信機４２を含む。データ変換ユニット／送信機４２は、メディアデータを処理し、ワイヤレスネットワーク４６を介して受信機／出力デバイス４８Ａ〜４８Ｎなど、いくつかの外部デバイスに送信することが可能である。
【００６１】
受信機／出力デバイス４８Ａ〜４８Ｎは、それぞれ通信デバイス４０によって送信されたデータを受信し得、それぞれ、データが通信デバイス４０からブロードキャストされている適切なチャネル（たとえば、周波数または周波数帯域）に同調するチューナーを含み得る。場合によっては、受信機／出力デバイス４８Ａ〜４８Ｎは、通信デバイス４０から受信されたブロードキャストデータを復調および／または復号するための機能を含み得る。
【００６２】
概して、通信システム４０は、さらに、ワイヤレスネットワーク４６を介して、データを受信機／出力デバイス４８Ａ〜４８Ｎのうちの１つまたは複数にブロードキャストするか、または場合によっては送信することが可能である。受信機／出力デバイス４８Ａ〜４８Ｎの各々は、データ受信機と１つまたは複数の出力デバイス（たとえば、ディスプレイデバイス）とを備え得る。データ受信機および出力デバイスは、別個の構成要素または統合構成要素であり得る。たとえば、受信機／出力デバイス４８Ａがデジタルテレビジョンを備える場合、受信機およびディスプレイデバイスはデジタルテレビジョンに組み込まれ得る。
【００６３】
図５は、ワイヤレスネットワーク（たとえば、Ｗｉ−Ｆｉネットワーク）５６を介して第２の通信デバイス５８と通信する第１の通信デバイス（たとえば、ハンドセット、ラップトップ）５０であって、第２の通信デバイス５８がワイヤレスネットワーク（たとえば、ＡＴＳＣ放送ネットワーク）６４を介してデジタルテレビジョン（ＴＶ）受信機７０と通信する、第１の通信デバイスの別の例を示すブロック図である。図５の例では、通信デバイス５０は図４の通信デバイス３２と同様に機能し得る。通信デバイス５０は、ワイヤレス通信ハンドセット（たとえば、携帯電話またはＰＤＡ）またはラップトップコンピュータなど、モバイル通信デバイスを備え得る。いくつかの例では、通信デバイス３２は、モバイル通信ハンドセット、パーソナルコンピュータまたはラップトップコンピュータ、デジタルマルチメディアプレーヤ、携帯情報端末（ＰＤＡ）、ビデオゲーム機、スマートブック／スマートフォン、あるいは他のビデオデバイスなど、任意の形態のモバイルデバイスを備え得る。
【００６４】
通信デバイス３２と同様に、通信デバイス５０は、データ変換ユニット／送信機５４に通信可能に結合された１つまたは複数のマルチメディアプロセッサ５２を含む。マルチメディアプロセッサ５２はまた、ディスプレイおよび１つまたは複数のスピーカー５１に結合される。ディスプレイ／スピーカー５１は、図４に示す出力デバイス３３の１つの例であり得る。
【００６５】
通信デバイス５０は、ワイヤレスネットワーク５６を介して通信デバイス５８と通信し得る。ワイヤレスネットワーク５６は、Ｗｉ−ＦｉまたはＢｌｕｅｔｏｏｔｈ（登録商標）プロトコルのためのサポートを提供するネットワークなど、ワイヤレスローカルエリアネットワークを備え得る。これらの事例では、通信デバイス５８、５０が同じ建築物（たとえば、家屋）または一般的なエリア中にあるときなど、通信デバイス５８は通信デバイス５０の相対的な近傍中にあり得る。いくつかの例では、通信デバイス５８は、通信デバイスに関する周辺デバイスを備え得る。たとえば、通信デバイス５８は、ワイヤレスネットワーク５６上でデータを受信および／または送信するための機能を含むキーボード（たとえば、着脱可能なキーボード、ワイヤレスキーボード）またはマウスデバイス（たとえば、ワイヤレスマウス）を備え得る。通信デバイス５０と通信デバイス５８との間の通信は、Ｗｉ−ＦｉまたはＢｌｕｅｔｏｏｔｈ（登録商標）など、ワイヤレス通信プロトコルに準拠し得る。
【００６６】
図４の通信デバイス４０と同様に、通信デバイス５８は、データ変換ユニット／送信機６０とチャネル識別器６２とを含む。図４の例では、デジタルＴＶ変換ユニット／送信機６０が、１つまたは複数のテレビジョンデバイスにデータを送信することが可能であるとすれば、データ変換ユニット／送信機６０はこの構成要素を備える。
【００６７】
デジタルＴＶ変換ユニット／送信機６０は、ワイヤレスネットワーク６４を介してデータをデジタルＴＶ受信機（チューナー）７０に送信することが可能である。場合によっては、ワイヤレスネットワーク６４はデジタルＴＶ放送ネットワークを備え得、デジタルＴＶ変換ユニット／送信機６０によって送信されたデータは特定のデジタル放送フォーマット（たとえば、ＡＴＳＣ）に準拠し得る。前に説明したように、チャネル識別器６２は、使用のために利用可能であるワイヤレスネットワーク６４内で１つまたは複数のチャネルを識別し得る。たとえば、ワイヤレスネットワーク６４がデジタルＴＶ放送ネットワーク（たとえば、ＡＴＳＣ規格に準拠するネットワーク）である場合、チャネル識別器６２は、デジタルＴＶ変換ユニット／送信機６０によってデジタルＴＶ受信機７０にデータを送信するために利用され得るデジタル放送スペクトル内でホワイトスペースを識別し得る。
【００６８】
デジタルＴＶ受信機７０は、ディスプレイデバイスおよび１つまたは複数のスピーカー６８に通信可能に結合される。デジタルＴＶ受信機７０およびディスプレイ／スピーカー６８は、別個の構成要素を備え得る。いくつかの場合、デジタルＴＶ受信機７０およびディスプレイ／スピーカー６８は、デジタルＴＶセット６６中に統合および／または構築され得る。場合によっては、デジタルＴＶ６６は、高精細度ＴＶ（ＨＤＴＶ）を備え得る。
【００６９】
ワイヤレスネットワーク５６を介した通信デバイス５０から通信デバイス５８へのデータの通信と、ワイヤレスネットワーク６４を介した通信デバイス５８からデジタルＴＶ受信機７０へのデータの通信を通して、または場合によっては通信デバイス５０のディスプレイ／スピーカー５１上に表示されるべきであるデータは、ディスプレイ／スピーカー６８上に表示されるように拡張され得る。たとえば、通信デバイス５０は、ディスプレイスクリーンはサイズが制限されるモバイルハンドセットデバイスを備え得る。場合によっては、ディスプレイは、タッチスクリーンを含む液晶ディスプレイ（ＬＣＤ）を備え得る。
【００７０】
しかしながら、ディスプレイ６８のディスプレイスクリーンは、特にそれが大画面ＨＤＴＶを備え得るデジタルＴＶ６６内に含まれる場合、サイズがはるかに大きくなり得る。ディスプレイデバイスは、場合によっては、フラットパネル液晶ディスプレイ（ＬＣＤ）、フラットパネルプラズマディスプレイ、プロジェクションディスプレイデバイス、プロジェクタデバイスなどを備え得る。通信デバイス５０のディスプレイ／スピーカー５１のディスプレイ上に表示されるべきデータはまた、ディスプレイ／スピーカー６８のディスプレイ上に表示され得、エンドユーザにはるかにロバストな、大きい、高解像度の閲覧エクスペリエンスを与え得る。また、通信デバイス５０からのオーディオデータがディスプレイ／スピーカー６８上での出力のために与えられ得る。
【００７１】
これを達成するために、通信デバイス５０のデータ変換ユニット／送信機５４は、ワイヤレスネットワーク５６を介して、オーディオデータ、ビデオデータ、グラフィックスデータ、テキストデータ、音声データ、補助対話性データ、または他のデータを備え得るデータを通信デバイス５８に送信し得る。通信デバイス５８は、場合によっては、通信デバイス５０に関する周辺デバイスを備え得る。これらの場合、通信デバイスは、ユーザが通信デバイス５０に関連して使用し得るキーボードまたはマウスなど、ワイヤレス周辺デバイスを備え得る。たとえば、通信デバイス５０がモバイルハンドセットを備える場合、通信デバイス５８はモバイルハンドセットに関連して使用され得る周辺デバイスを備え得る。
【００７２】
通信デバイス５８は、デジタルテレビジョン放送ネットワークを備え得るワイヤレスネットワーク６４において１つまたは複数の利用可能なチャネルを識別するためにそのチャネル識別器６２を利用する。次いで、通信デバイス５８は、ワイヤレスネットワーク６４を介してデータをデジタルＴＶ受信機７０に送信し得、次いで、デジタルＴＶ受信機７０はデータをディスプレイ／スピーカー６８上に出力するために与え得る。
【００７３】
いくつかの事例では、特にワイヤレスネットワーク５６がワイヤレスネットワーク６４とは異なるネットワークを備えるとき、通信デバイス５０は、通信デバイス５８によってデジタルＴＶ受信機７０にデータを送信する際に使用されるものとは異なるデータフォーマットでデータを通信デバイス５８に送信し得る。これらの場合、デジタルＴＶ変換ユニット／送信機６０は、それが通信デバイス５０から受信するデータを異なるデータフォーマットに変換し得る。たとえば、以下でさらに説明するように、デジタルＴＶ変換ユニット／送信機６０は、通信デバイス５０からの受信データをデジタルＴＶ受信機７０に再送信する前に、それを符号化またはトランスコードし得る。
【００７４】
場合によっては、デジタルＴＶ変換ユニット／送信機６０は、通信デバイス５０からのマルチメディアデータの複数の受信ストリームを、複数のブロードキャストチャネル上で送信され得る個々のシングルプログラムトランスポートストリームに変換および／またはカプセル化し得る。場合によっては、マルチメディアデータの複数のストリームは、同じトランスポートストリーム中にカプセル化され得、シングルチャネル中で送信され得る。マルチメディアデータに関する補足マルチメディア情報またはメタデータを含む１つのマルチメディアストリームが、ピクチャインピクチャ（ＰＩＰ）データ経路として送信され得る。メタデータは、たとえば、テキスト、通知メッセージ、プログラムガイド情報、またはメニュー情報のうちの１つまたは複数を含み得る。
【００７５】
通信デバイス５８が、組込み型であるかまたは場合によってはデジタルＴＶ６６の一部であり得るデジタルＴＶ受信機７０によって直接処理され得るフォーマットで、ワイヤレスネットワーク６４を介してデータを送信することが可能であるので、通信デバイス５８は、たとえば、ディスプレイ６８上での提示より前に受信データを復号するために使用されるセットトップボックスまたは他の中間デバイスなど、デジタルＴＶ６６のための追加のハードウェア構成要素なしに通信デバイス５０にデジタルＴＶ６６への直接インターフェースを与えるＴＶアダプタの形態として機能し得る。通信デバイス５８は、デジタルＴＶ６６とのシームレスなインターオペラビリティを可能にするために、デジタルＴＶ受信機７０によって直接受信され処理され得る適切なフォーマット（たとえば、ＡＴＳＣフォーマット）にデータをフォーマットすることが可能であり得る。
【００７６】
図６は、ワイヤレスネットワーク８０を介して第２の通信デバイス８２と通信する第１の通信デバイス７２であって、第２の通信デバイス８２がワイヤレスネットワーク９０を介してデジタルＴＶ受信機９６と通信する、第１の通信デバイスの別の例を示すブロック図である。いくつかの例では、通信デバイス７２は図５の通信デバイス５０と同様に機能し得、通信デバイス８２は図５の通信デバイス５８と同様に機能し得る。図５と同様のデジタルＴＶ受信機９６およびディスプレイ／スピーカー９４が、場合によってはデジタルＴＶ９２に組み込まれ得る。
【００７７】
図６に示すように、通信デバイス７２は、ディスプレイおよび１つまたは複数のスピーカー７２と、１つまたは複数のマルチメディアプロセッサ７４と、送信機／受信機７８とを含む。送信機／受信機７８は、データの受信および送信の両方を行い、通信デバイス７２が使用するデータを処理することが可能である。図６の例に示すように、マルチメディアプロセッサ７４は、１つまたは複数のコーデック（コーダ／デコーダ）７６を含む。コーデック７６は、通信デバイス７２の送信機／受信機７８によって送信されるべきデータを、特定のデータフォーマットに符号化し、また、送信機／受信機７８によって受信された特定のフォーマットのデータを復号し得る。
【００７８】
コーデック７６は、マルチメディアプロセッサ７４によって処理されたビデオおよびオーディオデータを符号化／復号するための１つまたは複数のビデオコーデックおよびオーディオコーデックを含み得る。たとえば、コーデック７６はＭＰＥＧ−４コーデックを含み得る。多くの場合、モバイルデバイス（たとえば、モバイルハンドセット、ＰＤＡなど）は、Ｍｏｖｉｎｇ  Ｐｉｃｔｕｒｅｓ  Ｅｘｐｅｒｔｓ  Ｇｒｏｕｐによって規定された、ＭＰＥＧ−４（たとえば、ＭＰＥＧ−４、Ｐａｒｔ２）規格に準拠するデータを処理するために、ＭＰＥＧ−４コーデックを含み得る。
【００７９】
通信デバイス８２は、チャネル識別器８８に通信可能に結合された送信機／受信機８４を含む。チャネル識別器８８は、図５に示すチャネル識別器６２と同様に機能し得る。送信機／受信機８４は、図５の変換ユニット／送信機６０と同様である機能を含み得る。いくつかの例では、送信機／受信機８４は、図２に示すものと同様の構成要素を含み得る。たとえば、送信機／受信機８４は、データを受信するためのデータ受信機と、データを送信するためのデータ送信機とを含み得る。送信機／受信機８４は、場合によっては、図２に示す静穏化ユニット１５と同様の静穏化ユニットを含み、変換ユニットも含み得る。
【００８０】
いくつかの状況では、送信機／受信機８４は、ワイヤレスネットワーク９０を介してデジタルＴＶ受信機９６にデータを送信するために使用されるフォーマットと異なるフォーマットを有する通信デバイス７２からのデータを受信し得る。これらの場合、送信機／受信機８４は、デジタルＴＶ受信機９６への受信データの再送信より前にその受信データを変換する（たとえば、符号化する、トランスコードする）必要があり得る。
【００８１】
図６の特定の例では、送信機／受信機８４は、１つまたは複数のコーデックおよび／またはトランスコーダ８６を含む。これらのコーデック／トランスコーダ８６は、第１のフォーマットのデータを第２の異なるフォーマットのデータに変換することが可能である。コーデック／トランスコーダ８６は、１つまたは複数のオーディオトランスコーダおよび／またはビデオトランスコーダを含み得る。
【００８２】
いくつかの状況では、コーデック／トランスコーダ８６はオーディオトランスコーディングを実行し得る。たとえば、コーデック／トランスコーダ８６は、ワイヤレスネットワーク９０を介してデジタルＴＶ受信機９６にデータを送信するときに利用され得るフォーマットであるＡＣ−３フォーマットに、オーディオデータをトランスコードし得る。場合によっては、通信デバイス８２は、オーディオデータに対してトランスコーディングを実行しないことがあり、そのようなデータを、通信デバイス７２からデジタルＴＶ受信機９６にパススルーすることがある。しかしながら、ステレオオーディオトランスコーディングは、しばしば、ビデオトランスコーディングに比較してそれほど複雑でなく、したがって、レイテンシ／パフォーマンスに対する影響がそれほど厳しくないことがある。その結果、コーデック／トランスコーダ８６は、ワイヤレスネットワーク９０によって実施される伝送プロトコルに準拠するフォーマットにオーディオデータをトランスコードするために、しばしば、オーディオトランスコーディング機能を含み得る。
【００８３】
コーデック／トランスコーダ８６はまた、１つまたは複数のビデオエンコーダを含み得る。様々なモバイルデバイスが、デジタルテレビジョン放送ネットワーク（たとえば、ＡＴＳＣ対応ネットワーク）によって利用される様々なデータフォーマットをサポートしないことがある。たとえば、通信デバイス７２は、それのコーデック７６内にＭＰＥＧ−２エンコーダを含まないことがある。しかしながら、様々なモバイルデバイスがＭＰＥＧ−４（ｐａｒｔ２）のサポートを行い得、したがって、通信デバイス７２のコーデック７６は、ビデオテレフォニーなどの様々なアプリケーションをサポートするためにＭＰＥＧ−４エンコーダを含み得る。したがって、これらのタイプの事例では、コーデック／トランスコーダ８６は、ＭＰＥＧ−４フォーマットのデータをＭＰＥＧ−２フォーマットにトランスコードすることが可能であるトランスコーダを含み得る。コーデック／トランスコーダ８６はまた、受信データの解像度をアップサンプリングする、および／またはＨＤＴＶ（たとえば、デジタルＴＶ９２）上での高精細度再生を可能にするフレームレートアップコンバージョンを実行するために、前処理機能を含み得る。
【００８４】
概して、コーデック／トランスコーダ８６は、ワイヤレスネットワーク８０を介して通信デバイス８２によって受信されたデータのフォーマットと、ワイヤレスネットワーク９０を介して通信デバイスによって送信されるべきデータのフォーマットの両方によってサポートされる特徴のサブセットを選択することによって、インテリジェントトランスコーディング動作を実行し得る。説明のために１つの極めて特定の例を与えるために、通信デバイス７２のコーデック７６はＭＰＥＧ−４コーデックを含み得、通信デバイス８２のコーデック／トランスコーダ８６はＭＰＥＧ−４−ＭＰＥＧ−２トランスコーダを含むと仮定する。
【００８５】
例示のために提供され、限定するものと見なされるべきでないこの極めて特定の例では、ＭＰＥＧ−４−ＭＰＥＧ−２トランスコーダは、ＭＰＥＧ−４データフォーマット／規格とＭＰＥＧ−２データフォーマット／規格の両方によってサポートされ得る特徴の選択グループに基づいて、トランスコーディングを実行し得る。数個の例を与えるために、トランスコーダは、トランスコーダについてのレイテンシおよび電力消費量を最小限に抑えるために、ＭＰＥＧ−４（シンプルプロファイル）からＭＰＥＧ−２（メインプロファイル）へのヘッダトランスコーディングを実行し得る。通信デバイス７２のコーデック７６は、ＭＰＥＧ−４シンプルプロファイルに従ってＩ（イントラ）フレームおよびＰ（予測）フレームを符号化し得、ＭＰＥＧ−２の部分でない無制限動きベクトルなどの特徴を回避し得る。
【００８６】
この場合、コーデック／トランスコーダ８６は、（たとえば、ＡＴＳＣフォーマットに従って）ＭＰＥＧ−２ヘッダとともにＩおよびＰフレームコード化データを再カプセル化し、コード化データ（たとえば、スライス／マクロブロックデータ）は、トランスコードされない。復号バッファ深さおよびしたがってレイテンシを低減するために、様々な事例では、サポートされ得るが、Ｂ（双方向）フレームは使用されないことがある。ＭＰＥＧ−４はＭＰＥＧ−２において利用可能でないいくつかのコーディングモードをサポートし、その結果、ワイヤレスネットワーク９０に送信するためのデータを準備するときに、これらのコーディングモードは、トランスコーダによって利用されないことがある。その上、コーデック７６中のＭＰＥＧ−４コーデックおよびトランスコーダ８６中のＭＰＥＧ−４−ＭＰＥＧ−２トランスコーダは、インターレースコーディングの使用を回避し、代わりにプログレッシブ走査順序符号化（progressive scan order encoding）を利用し得る。いくつかの代替例では、コーデック／トランスコーダ８６は、ＭＰＥＧ−４のためのハードウェアアクセラレータを利用し得る簡略化されたＭＰＥＧ−２エントロピーエンコーダを含み得る。
【００８７】
いくつかの事例では、マルチメディアプロセッサ７４は、通信デバイス８２に送られるすべてのデータの一部分を符号化しないことが可能である。これらの事例では、コーデック／トランスコーダ８６は、受信データを直接、ワイヤレスネットワーク９０を介したデータ送信のために使用されるデータフォーマットに符号化し得る。場合によっては、通信デバイス７２のコーデック７６が、発信データ（たとえば、ビデオデータ、オーディオデータ）を直接、許容できるか、または場合によってはワイヤレスネットワーク８０およびワイヤレスネットワーク９０上でのデータ送信に準拠するフォーマットに符号化することも可能である。これらの場合、通信デバイス８２のコーデック／トランスコーダ８６は、通信デバイス７２から受信したデータの全部または一部分を符号化するか、またはさらにはトランスコードする必要がないことがある。代わりに、コーデック／トランスコーダ８６は、データをデジタルＴＶ受信機９６にパススルーし得る。
【００８８】
通信デバイス８２のコーデック／トランスコーダ８６が（たとえば、ＭＰＥＧ−４からＭＰＥＧ−２への）トランスコーディング機能を与える事例では、通信デバイス８２と通信デバイス７２とは、開始時に、または構成段階中に、使用され得るコーディング機能を判断するようにハンドシェーキングまたは他の動作を実行し得る。たとえば、通信デバイス７２は、それのコーデック７６によってサポートされ、通信デバイス８２に送られるデータフォーマットまたは規格のセットを明示し得る。同様に、通信デバイス８２は、通信デバイス７２に対して、ワイヤレスネットワーク９０上でのデータ通信のために使用されるデータフォーマットまたは規格のセットを明示し得る。一例として、通信デバイス７２は、それのコーデック７６がＭＰＥＧ−４データフォーマットをサポートすることを明示し得、通信デバイス８２は、それがワイヤレスネットワーク９０上で行うデータ通信がＭＰＥＧ−２フォーマット／規格に準拠することを通信デバイス７２に対して明示し得る。
【００８９】
この情報交換中に、通信デバイス７２と通信デバイス８２とは、ワイヤレスネットワーク８０上で通信デバイス７２から通信デバイス８２にどのデータが送られるかに従ってデータフォーマットに関して相互に同意し得る。たとえば、これらのデバイス７２および８２は、ＭＰＥＧ−４規格とＭＰＥＧ−２規格の両方によってサポートされる特徴のセットを含むデータフォーマットに関して同意し得る。次いで、コーデック／トランスコーダ８６は、ＭＰＥＧ−４コード化データとＭＰＥＧ−２コード化データとの間のヘッダ限定トランスコーディングを実行することなど、いくつかのトランスコーディング動作を実行することが可能であり得る。
【００９０】
このプロセス中に、通信デバイス７２はまた、通信デバイス８２へのデータ通信のために使用され得る、または使用され得ないコーディング機能を判断し得る。たとえば、前述のように、通信デバイス８２によってどの特徴およびどの（１つまたは複数の）データフォーマットが使用されるかを判断した後に、通信デバイス７２はコーデック７６によって実行される符号化動作を調整し得る。
【００９１】
たとえば、コーデック７６がＭＰＥＧ−４エンコーダを含む場合、通信デバイス７２は、ＭＰＥＧ−４シンプルプロファイルに従ってＩおよびＰフレームを符号化するようにコーデック７６を制御し、ＭＰＥＧ−２によってサポートされない無制限動きベクトルなどの特徴を回避し得る。さらに、通信デバイス７２は、Ｂフレームの使用を最小にするかまたはさらには回避し、インターレースコーディングなど、ＭＰＥＧ−２によってサポートされないコーディングモードの使用を回避するように、コーデック７６を制御し得る。そのような様式でコーデック７６を制御することによって、通信デバイス８２によって受信されたデータは、ワイヤレスネットワーク９０上で送信するために、コーデック／トランスコーダ８６によってＭＰＥＧ−２フォーマットに、より効率的にトランスコードされ得る。
【００９２】
したがって、いくつかの例では、通信デバイス７２および通信デバイス８２は、コーデック７６およびコーデック／トランスコーダ８６によって共通または使用可能であるデータフォーマット特徴のセットを最初に判断し得る。これらの例では、コーデック／トランスコーダ８６は、これらの共通の特徴のセットに基づいて１つまたは複数のトランスコーディング動作を実行し、いくつかの事例では、たとえば、通信デバイス７２によって与えられるデータのＭＰＥＧ−４から、ワイヤレスネットワーク９０上でのデータ通信に対応するＭＰＥＧ−２ヘッダへのヘッダトランスコーディングなど、ヘッダトランスコーディングを実行し得る。
【００９３】
いくつかの例では、コーデック／トランスコーダ８６は、利用され得る異なるデータフォーマットによってサポートされる共通の特徴のセットに基づいて、トランスコーディング機能を実行し得る。たとえば、コーデック／トランスコーダ８６は、ＭＰＥＧ−４データフォーマットとＭＰＥＧ−２データフォーマットとの間のトランスコーディングを実行するように構成され得る。通信デバイス８２は、ＭＰＥＧ−４に準拠するワイヤレスネットワーク８０を介して、通信デバイス７２からのデータを受信するように構成され得る。しかしながら、通信デバイス８２は、ＭＰＥＧ−２フォーマットに準拠するワイヤレスネットワーク９０上でデータを送信することを必要とし得る。この場合、コーデック／トランスコーダ８６は、ＭＰＥＧ−４とＭＰＥＧ−２の両方によってサポートされる共通の特徴のセットに基づいて、ＭＰＥＧ−４フォーマットから、ワイヤレスネットワーク９０上でのデータ通信に許容可能なＭＰＥＧ−２フォーマットに受信データをトランスコードするために、トランスコーディング機能を実行することが可能である。
【００９４】
以下に示す表１に、ＭＰＥＧ−２およびＭＰＥＧ−４（ｐａｒｔ２）データフォーマット／規格の各々によってサポートされる特定の特徴の一例を示す。表１の第１の列は、特定の特徴を明記し、第２の列は、ＭＰＥＧ−２でのこれらの特徴のサポート（またはその潜在的な欠如）を明記し、第３の列は、ＭＰＥＧ−４でのこれらの特徴のサポート（またはその潜在的な欠如）を明記し、第４の列は、ＭＰＥＧ−４とＭＰＥＧ−２の両方によってサポートされ、通信デバイス７２および通信デバイス８２のいずれかまたは両方における符号化および／またはトランスコーディング機能の目的のために使用され得る、共通の特徴のセットを明記する。
【表１】
0005350544.tif 000002
【表２】
0005350544.tif 000003
【００９５】
いくつかの事例では、通信デバイス７２はさらに、補助対話性データを通信デバイス８２に送信し得る。この対話性データは、たとえば、ディスプレイデバイス上に表示され、ユーザによって制御または操作され得る、アイコンおよび／またはカーソルに対応するデータを含み得る。カーソルはアイコンの一例を備え得る。たとえば、様々なグラフィカルおよび／またはビデオデータが、ディスプレイ／スピーカー７３中に含まれるディスプレイ上で通信デバイス７２のユーザに表示され得る。さらに、１つまたは複数のカーソルまたは他のアイコン（たとえば、矢印）がディスプレイ上に表示され得る。ユーザは、入力デバイス（たとえば、キーボード）の操作、またはディスプレイ／スピーカー７３によって与えられるタッチスクリーンもしくは他のタッチ／ヒューマンインターフェースデバイスのコントロールなどによって、ユーザインターフェースを介してこれらのカーソルまたはアイコンを制御し得る。カーソルまたはアイコン自体は、ユーザ定義可能であるか、ユーザ選択可能であり得る。
【００９６】
通信デバイス７２は、たとえば、通信デバイス８２がディスプレイ／スピーカー９４上での出力のためにワイヤレスネットワーク９０を介してグラフィカルデータ、ビデオデータ、またはオーディオデータを送信し得るように、通信デバイス８２にそのようなデータを送信することが可能である。さらに、通信デバイス７２は、ユーザによって操作されるカーソル／アイコン、およびディスプレイ中のそのようなカーソル／アイコンの動きに関する情報を含み得る、補助対話性データを通信デバイス８２に送信することが可能である。次いで、補助対話性データは、これらのカーソル／アイコンがディスプレイ９４上でも表示され得るように、通信デバイス８２によって、デジタルＴＶ９２に与えられ得る。デジタルＴＶ９２によって受信されたデータは、ディスプレイ９４によって表示されるアイコン（たとえば、カーソル）（たとえば、その動き、挙動、位置）を制御し得る。この補助データは、コーデック／トランスコーダ８６によって、関連するプログラムデータ（たとえば、オーディオ、ビデオデータ）と多重化されるか、またはワイヤレスネットワーク９０上の独立したプログラムストリームとして多重化され、送られ得る。いくつかの例では、コーデック／トランスコーダ８６は、（たとえば、ユーザ定義の対話性ヘッダを使用して）補助対話性データをデジタルＴＶ受信機９６に送信するために、ワイヤレスネットワーク９０によってサポートされるデジタル放送フォーマットで使用される既存のクローズドキャプション／サブタイトルフォーマットを利用し、活用し得る。
【００９７】
図７Ａ〜図７Ｂは、第１のデバイス９１（たとえば、モバイル／ポータブルデバイス９１）から第２のデバイス９５（たとえば、デバイス９１に対する周辺デバイス／アクセサリ）に送信され、その後、表示するために第２のデバイス９５によってＴＶ９７に送信される表示データの一例を示す概念図である。この例では、デバイス９１は、図５に示す通信デバイス５０など、第１の通信デバイスを備え得る。デバイス９５は、図５に示す通信デバイス５８など、第２の通信デバイスを備え得る。ＴＶ９７は、図５に示すデジタルＴＶ６６など、デジタルＴＶを備え得る。
【００９８】
いくつかの例では、デバイス９１は、（たとえば、ＷＰＡＮまたはＷＬＡＮネットワークを介して）デバイス９５とワイヤレス通信し得る。デバイス９５は、（たとえば、デジタル放送スペクトルのためのデジタル放送ネットワークを介して）ＴＶ９７とワイヤレス通信し得る。デバイス９１をデバイス９５に結合するワイヤレスネットワークは、場合によっては、デバイス９５をＴＶ９７に結合するワイヤレスネットワークと異なるネットワークを備え得る。いくつかの代替例では、デバイス９５は、デバイス９１にドッキングされること、または場合によっては直接結合されることが可能であり得る。様々な例では、デバイス９５は、デバイス９１とＴＶ９７との間のブリッジとして働き、デジタル放送フォーマットに従って、デバイス９１によって与えられたデータがデバイス９５を介してＴＶ９７に送信され得る機構を与え得る。
【００９９】
図７Ｂに示すように、デバイス９１はディスプレイ９３を含み、ＴＶ９７はディスプレイ９９を含む。いくつかの例では、デバイス９１は、モバイル／ポータブルデバイス（たとえば、ハンドセット、スマートフォン、ラップトップ）を備え、デバイス９５は、デバイス９１に対する周辺デバイスまたはアクセサリデバイス（たとえば、着脱可能なキーボード、マウス）を備え得る。場合によっては、デバイス９５は、デバイス９１に対する自蔵式スタンドアロンモジュールを備え得る。ＴＶ９７はデジタルＨＤＴＶを備え得る。ディスプレイ９９は、組み込まれた、または統合された受信機／チューナーを含むことも、含まないこともある。
【０１００】
図７Ｂは、どのようにデバイス９１が、グラフィックス、ビデオ、オーディオ、および／または対話性データをデバイス９５に与えるためにデバイス９５と通信（たとえば、ワイヤレス通信）し得るかを説明する。ディスプレイ９３は、人の画像を含み、さらに、矢印アイコンを含む。矢印アイコンは、表示された画像データの部分を選択または識別するために、デバイス９１のタッチスクリーンまたは他のヒューマンインターフェース入力デバイスの操作によってなど、ユーザからの入力によって移動可能であるカーソルを備え得る。デバイス９１は、ワイヤレス（たとえば、Ｗｉ−Ｆｉ、Ｂｌｕｅｔｏｏｔｈ（登録商標））送信を介して画像およびユーザ対話性／補助的データ（たとえば、矢印アイコンの動き）をデバイス９５に送信することが可能である。
【０１０１】
その結果、ユーザは、図７Ｂに示す矢印など、ＴＶ９７のスクリーン９９上のカーソルまたは他のアイコンの動きまたはコントロールを制御するために（たとえば、スクリーン９３の）タッチスクリーンを利用し得る。カーソルのために使用されるアイコンは、カスタマイズのためにユーザ選択可能または定義可能であり得る。たとえば、ユーザは、いくつかの既存のアイコンからカーソルアイコンを選択するか、またはユーザ固有のアイコンを定義または作成し得る。いくつかの例では、すでに存在し得るか、またはＴＶ９７のチューナー／受信機においてサポートされ得るクローズドキャプションおよびサブタイトル機能が、タッチコントロール（touch control）メタデータをカプセル化するかまたはトランスポートするために利用され得る。たとえば、他の場合はクローズドキャプションまたはサブタイトル情報のために利用され得るヘッダまたはデータ構造が、代わりに、ディスプレイスクリーン上のアイコンまたはカーソルのコントロールおよび動きに関係するタッチコントロール情報、またはメタデータを含み得る。
【０１０２】
場合によっては、特に、デバイス９５がデバイス９１と通信する周辺デバイスまたはアクセサリデバイス（たとえば、キーボード、マウス）を備える場合、ユーザはデバイス９１に対してデバイス９５を有効化し得る。いくつかの事例では、ユーザは、たとえば、デバイス９１上のオプションまたはボタンを選択することによって、および／またはデバイス９５上のオプションまたはボタンを選択することによってなど、デバイス９１とデバイス９５との間の接続性を手動で有効化し得る。ただし、いくつかの事例では、デバイス９１が電源投入されるか、または特定の動作モードに入る場合など、デバイス９５は自動的に有効化され得る。
【０１０３】
次いで、ユーザは、これらのデバイス間のデータの交換（たとえば、ワイヤレス交換）を可能にするデバイス９１および９５上のアプリケーションを開始し得る。たとえば、ユーザは、アプリケーションを開始するために、デバイス９１、またはスクリーン９３上の特定のオプションまたはボタンを選択し得る。代替的に、デバイス９５がユーザ入力コントロール（たとえば、キーボード上のキー）をもつデバイスを備える場合、ユーザは、アプリケーションを開始するために、デバイス９５上のこれらのコントロールのうちの１つを選択し得る。
【０１０４】
デバイス９５がＴＶ９７へのデータ送信のための１つまたは複数の利用可能なチャネル（たとえば、ホワイトスペース）を識別した場合、デバイス９１が、これらのチャネルのうちの１つまたは複数を使用するために選択し得るように、デバイス９５は、これらのチャネルの識別子をデバイス９１に伝達し得る。たとえば、デバイス９１は、これらのチャネルのうちの１つまたは複数を自動的に選択し得る。場合によっては、デバイス９１は、スクリーン９３上に利用可能なチャネルを表示し、ユーザがチャネルのうちの１つまたは複数を選択することを可能にする。他の場合には、デバイス９５は、識別されたチャネルのうちの１つまたは複数を使用するために自動的に選択し得る。チャネルの選択時に、デバイス９５は、ＴＶ９７が、適切なチャネルに自動的に同調し、デバイス９５からのデータを受信することが可能になるように、チャネルおよびチャネル変更情報をＴＶ９７に伝達するために、ＩＲベースの送信機など、チャネル送信機（たとえば、チャネル送信機１１）を含み得る。
【０１０５】
デバイス９５は、放送（たとえば、デジタルＴＶ）通信を介して、ＴＶ９７中に含まれる受信機に画像およびユーザ対話性／補助データを送信することが可能である。いくつかの事例では、デバイス９５は、受信データを、ＴＶ９７の受信機に送信するより前に、符号化および／またはトランスコードし得る。次いで、ＴＶ９７は、場合によってはサイズおよび／または解像度を増強して、画像およびユーザ対話性データをディスプレイ９９上に表示することが可能である。
【０１０６】
そのような様式では、ユーザは、デバイス９１のディスプレイ９３をＴＶ９７にワイヤレスに拡張することが可能である。いくつかの事例では、デバイス９１、９５、およびＴＶ９７は、同じ部屋、家、または一般的なエリア中など、略近傍中にあり得る。たとえば、ディスプレイ９３が非常に小さいかまたは制限されている場合、ユーザは、ＴＶ９７のより大きいディスプレイ９９上で表示データを閲覧することを望み得、より大きいディスプレイ９９は同様により高い画像解像度を与え得る。また、ディスプレイ９３上の矢印アイコンを用いた対話性がディスプレイ９９上にキャプチャされ、表示され得る。デバイス９５がトランスコーディング機能を含み得るので、デバイス９１は、場合によっては特殊な機能を含む必要がないことがある。
【０１０７】
ＴＶ９７の受信機によって期待され得る放送フォーマット／規格に従ってデータをフォーマットするために、すべての特殊なデータフォーマッティング、変換、トランスコーディングなどがデバイス９５によって実行され得る。これらの場合、デバイス９５は、たとえば、ＴＶ９７のディスプレイ９９上での提示より前に受信データを復号するために使用されるセットトップボックスまたは他の中間デバイスなど、ＴＶ９７のための追加のハードウェア構成要素なしに、デバイス９１にＴＶ９７への直接インターフェースを与えるＴＶアダプタの形態として機能し得る。デバイス９５は、ＴＶ９７とのシームレスなインターオペラビリティを可能にするために、ＴＶ９７のチューナー／受信機によって直接受信され処理され得る適切なフォーマット（たとえば、デジタルＴＶフォーマット）にデータをフォーマットすることが可能である。デバイス９５のすべての機能は、デバイス９１と（たとえば、ワイヤレスに）通信することが可能であるデバイス９１の周辺／アクセサリ構成要素内に含まれ得る。たとえば、デバイス９５は、デバイス９１とともに使用可能な着脱可能なキーボードまたはマウスデバイスを備え得る。
【０１０８】
場合によっては、デバイス９１のユーザは、ディスプレイ９３とディスプレイ９９の両方の上でデータを閲覧することを望むことがある。しかしながら、ディスプレイ９３は解像度、サイズ、および他のファクタに関して何らかの制限を有し得るので、（たとえば、デバイス９７が大画面ＨＤＴＶを備える場合、）ディスプレイ９９上にデータを表示しながら、ユーザは、ディスプレイ９３上での表示機能を無効化することもあり得る。たとえば、スクリーン９３上に表示されるべきデータが極めて大きく、簡単に閲覧するためのスクリーン９３上に完全に収まり得ない場合、いくつかの特定の例では、ユーザは、ディスプレイ９３上での表示機能を無効化し、ＴＶ９７のディスプレイ９９上でのみそのような情報を閲覧することを望み得る。そのような様式では、そのようなコンテンツがディスプレイ９３上に完全に収まり得ないときに、ユーザは、ＴＶ９７のディスプレイ９９上で大量のコンテンツを閲覧することが可能である。
【０１０９】
場合によっては、デバイス９１からデバイス９５に送られるデータは、デバイス９１の表示情報を含み得る。表示情報は、デバイス９１上でレンダリングされる１次表示データを含み得る。たとえば、１次表示データは、デバイス９１のディスプレイ９３上に表示されるデータを含み得る。次いで、デバイス９５は、表示のために１次表示データをＴＶ９７に送信することによって、少なくとも１つの識別されたチャネルにおいてデバイス９５からデータを送信し得る。
【０１１０】
ただし、いくつかの事例では、少なくとも１つの識別されたチャネルにおいてデバイス９５からデータを送信することは、デバイス９１のディスプレイ９３上に表示される１次表示データとは異なる２次表示データを送信することを含み得る。デバイス９５は、ディスプレイ９３上に実際に表示されない２次表示データを含む、デバイス９１からの表示情報を受信し得る。ただし、２次表示データは、デバイス９５からＴＶ９７によって受信されると、ディスプレイ９９上に表示され得る。たとえば、これは、デバイス９１のユーザが、ディスプレイ９３上に完全に収まり得ないコンテンツ（たとえば、ウェブページ、デスクトップ情報）を見ることを希望し得るときに行われ得る。
【０１１１】
いくつかの例では、デバイス９１によってデバイス９５に送られる表示データは、ディスプレイ９３によって表示され得る１次表示データと、また、１次表示データとは異なる２次表示データの両方を含み得、（たとえば、２次表示データがディスプレイ９３上に収まらない場合）２次表示データはデバイス９１のディスプレイ９３上に表示されない。これらの例では、デバイス９５は、表示のために１次表示データおよび／または２次表示データをＴＶ９７に送信し得る。たとえば、ＴＶ９７のディスプレイ９９がデバイス９１のディスプレイ９３よりも大きい場合、たとえば、２次表示データを表示することによってなど、ディスプレイ９９は、より大きいデータの量を表示することが可能であり得る。ＴＶ９７のディスプレイ９９はまた、１次表示データを表示するように構成され得る。
【０１１２】
図８は、通信デバイス５８Ａ内に実装され得る、チャネル識別器６２Ａと連動する、デジタルＴＶ変換ユニット／送信機６０Ａの一例を示すブロック図である。図８では、デジタルＴＶ変換ユニット／送信機６０Ａは、図５に示すデジタルＴＶ変換ユニット／送信機６０の一例であり得るが、チャネル識別器６２Ａは、図５に示すチャネル識別器６２の一例であり得る。図８の特定の例では、通信デバイス５８Ａは、固有のデジタル放送フォーマット、ＡＴＳＣに従ってマルチメディアデータをブロードキャストすることが可能である。
【０１１３】
通信デバイス５８Ａは、高精細度またはフラットパネルテレビジョンなど、ＡＴＳＣ対応外部デバイスへの低電力送信を可能にし得る。この場合、ＡＴＳＣ対応デバイスは、図５のデジタルＴＶ６６または図６のデジタルＴＶ９２を備え得る。ＡＴＳＣ対応デバイスは、いくつかの例では、ディスプレイデバイスとチューナー／受信機の両方を含み得る。
【０１１４】
図８に示すように、デジタルＴＶ変換ユニット／送信機６０Ａは、１つまたは複数コーデック／トランスコーダ１００Ａ、トランスポートエンコーダ／マルチプレクサ１０２Ａ、誤り訂正エンコーダ１０４Ａ、ＡＴＳＣ変調器１０６Ａ、無線周波数（ＲＦ）デュプレクサ／スイッチ１０８Ａ、および送信機１１０Ａなど、様々な構成要素を含み得る。これらの構成要素は、ＡＴＳＣ規格を実装するスペクトル上でのデータ送信をサポートするのを助ける。ＡＴＳＣ規格は、ビデオ符号化、オーディオ符号化、トランスポートストリーム、および変調のためのレイヤを与えるマルチレイヤ規格である。一例では、ＲＦデュプレクサ／スイッチ１０８Ａは、極超短波（ＵＨＦ）デュプレクサ／スイッチを備え得る。デュプレクサは、パルスを感知するために受信されるべき信号と、通信目的のために送信されるべき信号とを考慮に入れ得る。
【０１１５】
コーデック／トランスコーダ１００Ａは、ビデオおよび／またはオーディオデータを１つまたは複数のストリームに符号化／復号するために、１つまたは複数のビデオコーデックと１つまたは複数のオーディオコーデックとを含み得る。たとえば、コーデック／トランスコーダ１００Ａは、ビデオデータを符号化／復号するために、Ｍｏｖｉｎｇ  Ｐｉｃｔｕｒｅ  Ｅｘｐｅｒｔｓ  Ｇｒｏｕｐ−２（ＭＰＥＧ−２）コーデックまたは（Ｔｅｌｅｃｏｍｍｕｎｉｃａｔｉｏｎ  Ｓｔａｎｄａｒｄｉｚａｔｉｏｎ  Ｓｅｃｔｏｒ、ＩＴＵ−Ｔからの）Ｈ．２６４コーデックを含み得る。コーデック／トランスコーダ１００Ａは、オーディオデータを符号化／復号するためにドルビーデジタル（ドルビーＡＣ−３）コーデックをも含み得る。ＡＴＳＣストリームは、１つまたは複数のビデオプログラムと１つまたは複数のオーディオプログラムとを含み得る。ビデオエンコーダのいずれかは、標準精細度ビデオ用のメインプロファイルまたは高精細度解像度ビデオ用のハイプロファイルを実装し得る。場合によっては、図６のコーデック／トランスコーダ８６に関して上記で説明したように、コーデック／トランスコーダ１００Ａは、あるフォーマットから別のフォーマットにデータをトランスコードするための１つまたは複数のトランスコーダを含み得る。
【０１１６】
トランスポート（たとえば、ＭＰＥＧ−２  Ｔｒａｎｓｐｏｒｔ  Ｓｔｒｅａｍ、またはＴＳ）エンコーダ／マルチプレクサ１０２Ａは、コーデック／トランスコーダ１００Ａからデータストリームを受信し、ブロードキャストのためにこれらのデータストリームを１つまたは複数のパケット化されたエレメンタリーストリーム（ＰＥＳ）などにアセンブルすることが可能である。次いで、これらのＰＥＳは、個々のプログラムトランスポートストリームにパケット化され得る。トランスポートエンコーダ／マルチプレクサ１０２Ａは、場合によっては、出力トランスポートストリームを誤り訂正エンコーダ１０４Ａ（たとえば、リードソロモンエンコーダ（Reed-Solomon encoder））に随意に与え得、誤り訂正エンコーダ１０４Ａは、トランスポートストリームに関連する１つまたは複数の誤り訂正コードを追加することによって誤り訂正符号化機能を実行し得る。これらの誤り訂正コードは、誤り訂正または緩和のためにデータ受信機によって使用され得る。
【０１１７】
ＡＴＳＣ変調器１０６Ａは、ブロードキャストのためにトランスポートストリームを変調することが可能である。いくつかの例示的な場合では、たとえば、ＡＴＳＣ変調器１０６Ａは、ブロードキャスト送信のために８残留側波帯（８ＶＳＢ）変調を利用し得る。次いで、ＲＦデュプレクサ／スイッチ１０８Ａは、トランスポートストリームを二重化するか、またはトランスポートストリームのためのスイッチとして働き得る。送信機１１０Ａは、チャネル識別器６２Ａによって識別される１つまたは複数の利用可能なチャネルを使用して、１つまたは複数の外部デバイスに１つまたは複数のトランスポートストリームをブロードキャストすることが可能である。
【０１１８】
チャネル識別器６２Ａは、データベースマネージャ１２４と、チャネルセレクタ１２０Ａと、随意のチャネル選択ユーザインターフェース（ＵＩ）１２２Ａと、スペクトルセンサ１１８Ａとを含む。チャネル識別器６２ＡとデジタルＴＶ変換ユニット／送信機６０Ａの両方は、１つまたは複数のバッファを備え得るメモリ１１２Ａに結合される。チャネル識別器６２ＡおよびデジタルＴＶ変換ユニット／送信機６０Ａは、直接情報を交換し得るか、あるいはまた、メモリ１１２Ａを介した情報の記憶および検索を通して間接的に情報を交換し得る。
【０１１９】
チャネル識別器６２Ａはスペクトルセンサ１１８Ａを含む。前に説明したように、スペクトルセンサ１１８Ａなどのスペクトルセンサは、ＡＴＳＣなど、特定のデジタルＴＶフォーマットのための放送スペクトル内の１つまたは複数の周波数帯域中で信号を感知することが可能である。スペクトルセンサ１１８Ａは、スペクトル内の１つまたは複数の使用されるチャネルを占有するデータを識別するそれの能力に基づいて、現在のチャネル可用性と信号強度とを判断し得る。次いで、スペクトルセンサ１１８Ａは、チャネルセレクタ１２０Ａに、現在未使用であるかまたは利用可能であるチャネルに関する情報を与え得る。たとえば、スペクトルセンサ１１８Ａは、外部の別個のデバイスによってこのチャネル上でブロードキャストされているデータを検出しない場合、特定のチャネルが利用可能であることを検出し得る。
【０１２０】
図８に示すように、チャネルセレクタ１２０Ａはまた、ネットワーク１２６とデータベースマネージャ１２４とを介してデジタルＴＶ帯域データベースから情報を受信し得る。デジタルＴＶ帯域データベース１２８は、通信デバイス５８Ａの外部に位置しており、ＡＴＳＣなどの特定のデジタルＴＶフォーマットのための放送スペクトル内で現在使用されているか利用可能であるチャネルに関する情報を含む。典型的に、デジタルＴＶ帯域データベース１２８は、チャネルが使用されるか、または他のデバイスが使用するために解放されると動的に更新される。場合によっては、デジタルＴＶ帯域データベース１２８は、地理的ロケーション／領域によって、または周波数帯域（たとえば、低い超短波（ＶＨＦ）、高いＶＨＦ、極超短波（ＵＨＦ））によって編成され得る。
【０１２１】
チャネル識別器６２ＡがデジタルＴＶ帯域データベース１２８からチャネル可用性情報を取得するために、チャネル識別器６２Ａは、場合によっては、デジタルＴＶ帯域データベース１２８への入力としてジオロケーション情報を与え得る。チャネル識別器６２Ａは、ジオロケーションセンサ１１５から、特定の時点における通信デバイス５８Ａの地理的ロケーションを示し得るジオロケーション情報または座標を取得し得る。ジオロケーションセンサ１１５は、いくつかの例では、ＧＰＳセンサを備え得る。
【０１２２】
ジオロケーションセンサ１１５からジオロケーション情報を受信すると、チャネルセレクタ１２０Ａは、データベースマネージャ１２４を介してデジタルＴＶ帯域データベース１２８に、入力としてそのような情報を与え得る。データベースマネージャ１２４は、デジタルＴＶ帯域データベース１２８にインターフェースを与え得る。場合によっては、データベースマネージャ１２４は、デジタルＴＶ帯域データベース１２８の選択されたコンテンツのローカルコピーが検索されるように、それらを記憶し得る。さらに、データベースマネージャ１２４は、デジタルＴＶ帯域データベース１２８に、ジオロケーション情報など、チャネルセレクタ１２０Ａによって与えられる選択された情報を記憶し得る。
【０１２３】
通信デバイス５８Ａに関係するジオロケーション情報を送ると、チャネルセレクタ１２０Ａは、デジタルＴＶ帯域データベース１２８から、デジタルＴＶ帯域データベース１２８内に記載された、提示される１つまたは複数の利用可能なチャネルのセットを受信し得る。利用可能なチャネルのセットは、ジオロケーションセンサ１１５によって示される、通信デバイス５８Ａによって現在占有されている地理的領域またはロケーション中で利用可能なそれらのチャネルであり得る。
【０１２４】
スペクトルセンサ１１８ＡおよびデジタルＴＶ帯域データベース１２８のいずれかまたは両方から利用可能なチャネル情報を受信すると、チャネルセレクタ１２０Ａは、１つまたは複数の利用可能なチャネルを、自動的に、またはチャネル選択ＵＩ１２２Ａを介したユーザ入力を介してのいずれかで選択し得る。チャネル選択ＵＩは、グラフィカルユーザインターフェース内に利用可能なチャネルを提示し得、サービスまたはアプリケーションのユーザは、これらの利用可能なチャネルのうちの１つまたは複数を選択し得る。
【０１２５】
場合によっては、データベース１２８は更新されると、通信デバイス５８Ａがデータベース１２８に、チャネルがもはや必要とされないかまたは使用されていないことを示す後続のメッセージを送るまで、選択されたチャネルが通信デバイス５８Ａによって使用されていることを示し得る。他の場合には、データベース１２８は、定義された時間間隔の間のみ選択されたチャネルを通信デバイス５８Ａのために確保し得る。これらの場合、通信デバイス５８Ａは、定義された時間間隔内にデータベース１２８に、デバイス５８Ａが選択されたチャネルをまだ使用していることを示すメッセージを送り得、その場合、データベース１２８は、通信デバイス５８Ａが使用する、第２の時間間隔の間の選択されたチャネルの確保を更新する。
【０１２６】
１つまたは複数のクロック１１４Ａは、通信デバイス５８Ａ内に含まれ得る。図８に示すように、クロック１１４Ａは、デジタルＴＶ変換ユニット／送信機６０Ａおよびチャネル識別器６２Ａによって利用され得るか、またはそれらの動作を駆動し得る。クロック１１４Ａは、通信デバイス５８Ａによって構成または設定され得る。場合によっては、クロック１１４Ａは、デバイス５８Ａの外部にあるクロックによって構成されるか、またはそのクロックに同期させられ得る。たとえば、デバイス５８Ａは、（たとえば、ジオロケーションセンサ１１５を介して）外部デバイスからクロックまたはタイミング情報を受信し得、受信された情報に基づいてクロック１１４Ａを構成または同期させ得る。
【０１２７】
たとえば、いくつかのシナリオでは、通信デバイス５８Ａは、受信デバイス（たとえば、図５のデジタルＴＶ受信機７０または図６のデジタルＴＶ受信機９６）と共通のクロック機能を実装し得る。これらのシナリオでは、通信デバイス５８Ａと受信デバイスの両方は、外部デバイスからクロックまたはタイミング情報を受信し、受信された情報に基づいてそれら自体の内部クロックを同期させ得る。そのようにして、通信デバイス５８Ａおよび受信デバイスは、共通クロックを使用して効果的に動作し得る。また、デジタルＴＶ変換ユニット／送信機６０Ａおよびチャネル識別器６２Ａは、いくつかの動作を同期させるかまたは整合させるためにクロック１１４Ａを利用し得る。
【０１２８】
図８に同じく示すように、通信デバイス５８Ａは、チャネル識別器６２Ａに通信可能に結合されたチャネル送信機１１６Ａをさらに含む。チャネル識別器６２Ａは、データを送信する際に、デジタルＴＶ変換ユニット／送信機６０Ａによって使用されるチャネルに関連する情報を、チャネル送信機１１６Ａに与え得る。
【０１２９】
次いで、チャネル送信機１１６Ａは、チャネルを直接または間接的のいずれかで識別するチャネルコマンド情報を送信することが可能である。たとえば、チャネルコマンド情報は、チャネルの特定の識別を含み得る。この例では、データ受信機（たとえば、図５のデジタルＴＶ受信機７０または図６のデジタルＴＶ受信機９６）は、受信したコマンド情報から直接チャネルを判断することが可能である。他の場合には、チャネル送信機によって送信されたチャネルコマンド情報は、（たとえば、チャネルアップ／ダウン情報を介して）チャネルを間接的に識別し得る。これらの場合、データ受信機は、前にデータ送信のために使用されたチャネルに関係してデータ受信機が記憶した状態または他の情報とともに、受信されたコマンド情報を処理することによって、チャネルを判断することが可能である。
【０１３０】
いくつかの例では、デジタルＴＶ変換ユニット／送信機６０Ａは、送信静穏化ユニット（図示せず）をさらに含み得る。この静穏化ユニットは、（たとえば、スペクトルセンサ１１８Ａによって）時間スペクトル感知動作が実行される１つまたは複数の時間間隔中にデータ送信を静穏化するために、図２に示す静穏化ユニット１５と同様に機能し得る。
【０１３１】
図９は、通信デバイス５８Ｂ内で実装され得る、チャネル識別器６２Ｂと連動する、デジタルＴＶ変換ユニット／送信機６０Ｂの別の例を示すブロック図である。図９では、デジタルＴＶ変換ユニット／送信機６０Ｂは、図５に示すデジタルＴＶ変換ユニット／送信機６０の一例であり得るが、チャネル識別器６２Ｂは、図５に示すチャネル識別器６２の一例であり得る。デジタルＴＶ変換ユニット／送信機６０Ｂおよびチャネル識別器６２Ｂは、それぞれメモリデバイス１１２Ｂからの情報を記憶し、検索し得る。
【０１３２】
デジタルＴＶ変換ユニット／送信機６０Ａと同様に、デジタルＴＶ変換ユニット／送信機６０Ｂは、１つまたは複数のコーデック／トランスコーダ１００Ｂと、トランスポートエンコーダ／マルチプレクサ１０２Ｂと、誤り訂正エンコーダ１０４Ｂと、ＡＴＳＣ変調器１０６Ｂと、ＲＦデュプレクサ／スイッチ１０８Ｂと、送信機１１０Ｂとを含む。１つまたは複数のクロック１１４Ｂは、デジタルＴＶ変換ユニット／送信機６０Ｂとチャネル識別器６２Ｂの両方によって利用され得る。
【０１３３】
図７Ｂのチャネル識別器６２Ｂは、チャネル識別器６２Ｂが、デジタルＴＶ帯域データベースにインターフェースするデータベースマネージャを含まない図７Ｂのチャネル識別器６２Ａとは異なる。図８では、チャネル識別器６２Ｂは、スペクトルセンサ１１８Ｂのみを含む。図８の例中にジオロケーション機能が実装されないので、通信デバイス５８Ｂは、ジオロケーションセンサを含まない。チャネルセレクタ１２０Ｂは、スペクトルセンサ１１８Ｂから受信された入力に基づいてブロードキャスト送信のために１つまたは複数の利用可能なチャネルを識別した。チャネルセレクタ１２０Ｂはまた、随意のチャネル選択インターフェース１２２Ｂを介して利用可能なチャネルのリストからチャネルのユーザ選択を受信し得る。利用可能なチャネルのリストは、スペクトルセンサ１１８Ｂによって与えられる感知信号情報に基づいてチャネル選択インターフェース１２２Ｂ上に提示され得る。
【０１３４】
図１０は、図１〜図６のいずれかに示された通信デバイスのうちの１つなど、通信デバイスによるデータ通信のために実装され得るプロトコルスタックの一例を示す概念図である。単に説明のために、以下の図１０の説明では、プロトコルスタックは、図６の通信デバイス８２によって実装されると仮定される。
【０１３５】
図１０の概念図に示すように、例示的なプロトコルスタックは、物理レイヤ、媒体アクセス制御（ＭＡＣ）レイヤ、ミドルウェアレイヤ、アプリケーションレイヤ、およびサービスレイヤにおいて例示的なレイヤを含む。通信デバイス８２は、通信プロトコルスタック内の様々なレイヤにおいて複数のレイヤ要素を含み得る。これらの要素のうちの様々な要素が、図６におけるワイヤレスネットワーク８０を介した通信デバイス８２と通信デバイス７２との間のワイヤレス通信など、ローカルネットワーク上でのワイヤレス通信を実装するために含まれ得る。ローカルワイヤレスネットワークは、Ｗｉ−ＦｉまたはＢｌｕｅｔｏｏｔｈ（登録商標）ネットワークなど、ワイヤレスローカルエリアネットワークを備え得る。
【０１３６】
このワイヤレス通信を可能にするために、プロトコルスタックは、物理レイヤとＭＡＣレイヤの両方においてローカルワイヤレスレイヤ要素（たとえば、Ｗｉ−Ｆｉ通信のための８０２．１１ｇ／ｎレイヤ要素）を含み得る。また、トランスポートレイヤ要素がミドルウェアレイヤにおいて実装され得る。たとえば、伝送制御プロトコル／インターネットプロトコル（ＴＣＰ／ＩＰ）、またはＲｅａｌ−ｔｉｍｅ  Ｔｒａｎｓｐｏｒｔ  Ｐｒｏｔｏｃｏｌ（ＲＴＰ）／ユーザデータグラムプロトコル（ＵＤＰ）がミドルウェアレイヤにおいて実装され得る。場合によっては、これらのレイヤ要素は送信機／受信機８４によって実装され得る。
【０１３７】
また、様々なレイヤ要素が、図６におけるワイヤレスネットワーク９０を介した通信デバイス８２とデジタルＴＶ受信機９６との間のワイヤレス通信など、デジタル放送ネットワーク上でのワイヤレス通信を実装するために含まれ得る。デジタル放送ネットワークは、ＡＴＳＣ規格に準拠するネットワークなど、デジタルＴＶネットワークを備え得る。
【０１３８】
これらの通信のサポートを行うために、プロトコルスタックは、物理レイヤにおいて（たとえば、ＡＴＳＣの）スペクトル感知要素および変調／送信レイヤ要素を含み得る。スペクトル感知要素は、ワイヤレスネットワーク９０内の１つまたは複数の利用可能なチャネルなど、スペクトル内のホワイトスペースを識別することを試み得る。変調／送信レイヤ要素は、デジタルＴＶ受信機９６に、利用可能なホワイトスペース上での送信を与えることが可能であり得る。いくつかの例では、スペクトル感知要素および変調／送信レイヤ要素は、チャネル識別器８８および／または送信機／受信機８４によって実装され得る、物理レイヤにおけるホワイトスペースコグニティブ無線要素内に含まれ得る。
【０１３９】
チャネル識別器８８はまた、識別されたホワイトスペース内の１つまたは複数の利用可能なチャネルを選択するために、ＭＡＣレイヤにおいて周波数選択レイヤ要素を実装し得る。また、ＭＡＣレイヤにおいて１つまたは複数の誤り訂正機能を実行するために、ＭＡＣレイヤにおいて、誤り訂正要素（たとえば、ＡＴＳＣ前方誤り訂正またはＦＥＣ）が実装され得る。
【０１４０】
ワイヤレスネットワーク９０を介したデジタルＴＶ受信機９６へのトランスポートストリーム通信（たとえば、ＭＰＥＧ−２  ＴＳ、トランスポートストリーム）のために、ミドルウェアレイヤにおいて、トランスポートストリームレイヤ要素が実装され得る。いくつかの例では、チャネル同調要素がミドルウェアレイヤにおいて実装され得、チャネル同調要素は、デジタルＴＶ受信機９６などのデータ受信機に（たとえば、ＩＲ通信を介して）チャネル情報を伝達するためのチャネル送信機（たとえば、図１に示すチャネル送信機１１）によって実装され得る。
【０１４１】
図１０に示す例示的なプロトコルスタックのアプリケーションレイヤ内に、様々な異なるレイヤ要素が実装され得る。このレイヤに、様々な異なるエンコーダおよび／またはトランスコーダが実装され得る。たとえば、ビデオ、オーディオ、および／または対話性／補助（たとえば、カーソル／アイコン）データのためのエンコーダおよび／またはトランスコーダが与えられ得る。これらのレイヤ要素は、図６に関して前に説明したコーデック／トランスコーダ８６によって実装され得る。一例では、オーディオエンコーダ／トランスコーダレイヤ要素は、ＡＣ−３トランスコーディング、またはＭＰＥＧ−Ｉ  Ｌａｙｅｒ  ＩＩトランスコーディングに、ＡＡＣ（Ａｄｖａｎｃｅｄ  Ａｕｄｉｏ  Ｃｏｄｉｎｇ）のサポートを与え得る。一例では、ビデオエンコーダ／トランスコーダレイヤ要素は、ＭＰＥＧ−２トランスコーディングにＭＰＥＧ−４（ｐａｒｔ２）のサポートを与え得る。
【０１４２】
図１０に示すように、アプリケーションレイヤはまた、ワイヤレス通信のための、通信デバイス８２によって実装される２つのアプリケーション、すなわち通信デバイス７２とのローカルワイヤレス通信をサポートする第１のワイヤレス通信アプリケーションと、デジタルＴＶ受信機９６へのデジタルテレビジョン放送ネットワーク中の識別されたホワイトスペース上でのワイヤレス通信をサポートする第２のワイヤレス通信アプリケーションとを含む。いくつかの事例では、これらのアプリケーションは、通信デバイス８２内のクライアントアプリケーション内に含まれ得る。
【０１４３】
最後に、サービスレイヤにおいて、通信デバイス８２は、図７Ｂの例に示したものなど、スクリーン共有およびワイヤレスディスプレイのサポートを与える。通信デバイス８２との対話性を通して、通信デバイス７２のディスプレイ７３上に表示されたデータは、デジタルＴＶ受信機９６を含むデジタルＴＶ９２上のワイヤレスディスプレイのために拡張され得る。通信デバイス７２は、ワイヤレスネットワーク８０を介して通信デバイス８２にそのようなデータをワイヤレス通信することが可能であり、通信デバイス８２は、そのデータを、ワイヤレスネットワーク９０を介して、デジタルＴＶ９２上で表示するためにワイヤレス通信することが可能である。
【０１４４】
図１１は、第１の通信デバイスによって第２の通信デバイスに送信され得るデータの例示的なデータフォーマットを示す概念図である。一例では、図１１に示す例示的なデータフォーマットは、ある通信デバイス（たとえば、通信デバイス７２）から別の通信デバイス（たとえば、通信デバイス８２）に送られるビデオデータ（たとえば、ＭＰＥＧ−４データ）のビットストリーム構造を備え得る。
【０１４５】
図１１に示すように、例示的なデータフォーマット、またはデータ構造は、異なるレベルにおいて複数の異なるデータ要素を含む。たとえば、図１１のデータフォーマットに準拠する、またはそれに従ってフォーマットされたデータは、マクロブロック（ＭＢ）レベルにおいて、スライスレベルにおいて、フレームレベルにおいて、およびＧＯＶ（ビデオオブジェクトプレーンのグループ）レベルにおいて、データ要素を含み得る。
【０１４６】
ＭＢレベルは、１つまたは複数のマクロブロック１６２Ａ〜１６２Ｎ、また、追加のデータまたはヘッダ情報１６０を含み得る。ヘッダ／データ１６０はビデオパケットヘッダを含み得る。各マクロブロック１６２Ａ〜１６２Ｎはマクロブロックヘッダを含み得る。このＭＢレベルにおいて、図１１に示すマクロブロックヘッダ情報の１つまたは複数のグループがあり得る。
【０１４７】
スライスレベルは、１つまたは複数のビデオパケット１６６Ａ〜１６６Ｎ、また、追加のデータまたはヘッダ情報１６４を含み得る。図１１に示すように、各ビデオパケット１６６Ａ〜１６６Ｎは、ＭＢレベルからのデータを備え得る。したがって、ビデオパケット１６６Ｎは、マクロブロック１６２Ａ〜１６２Ｎとヘッダ／データ１６０とを備え得る。他のビデオパケットの各々（たとえば、ビデオパケット１６６Ａ）はまた、マクロブロック１６２Ａ〜１６２Ｎと同様の１つまたは複数のマクロブロック、またヘッダ／データ１６０と同様の追加のヘッダ情報もしくはデータを備え得る。スライスレベルにおけるヘッダ／データ１６４は、構成情報、マーカービット、時間情報、コーディングタイプ情報（たとえば、ＶＯＰコーディングタイプ情報）、または（たとえば、ＭＰＥＧ−４ビットストリーム構造内の）他の情報など、様々な情報を含み得る。
【０１４８】
フレームレベルは、１つまたは複数のビデオオブジェクトプレーン（ＶＯＰ）１７０Ａ〜１７０Ｎ、および追加のデータまたはヘッダ情報１６８を含み得る。各ＶＯＰ１７０Ａ〜１７０Ｎは、スライスレベルからのデータを備え得る。たとえば、ＶＯＰ１７０Ｎは、ビデオパケット１６６Ａ〜１６６Ｎとヘッダ／データ１６４とを備え得る。他のＶＯＰの各々（たとえば、ＶＯＰ１７０Ａ）はまた、１つまたは複数のビデオパケット、および追加のヘッダ情報またはデータを備え得る。フレームレベルにおけるヘッダ／データ１６８は、ユーザデータなど、様々なタイプの情報を含み得る。
【０１４９】
ＧＯＶレベルは、１つまたは複数のＧＯＶ１７４Ａ〜１７４Ｎ、および追加のデータまたはヘッダ情報１７２を含み得る。各ＧＯＶ１７４Ａ〜１７４Ｎは、フレームレベルからのデータを備え得る。たとえば、ＧＯＶ１７４Ｎは、ＶＯＰ１７０Ａ〜１７０Ｎとヘッダ／データ１６８とを備え得る。他のＧＯＶの各々（たとえば、ＧＯＶ１７４Ａ）はまた、１つまたは複数のＶＯＰ、および追加のヘッダ情報またはデータを備え得る。ＧＯＶレベルにおけるヘッダ／データ１７２は、（たとえば、ＭＰＥＧ−４ビットストリームの）構成情報を含む様々なタイプの情報を含み得る。
【０１５０】
図１１に示すデータフォーマット、または構造はまた、プログラムまたはシーケンスレベルヘッダ情報１９０を含む。ヘッダ情報１９０は、様々なタイプの情報を含み得る。たとえば、ヘッダ情報１９０は、プロファイル／レベル情報１７８、ヘッダ情報１８０、およびオブジェクト／オブジェクトレイヤ情報１８２を含み得る。ヘッダ情報１９０は、随意にユーザデータ１７６を含み得る。
【０１５１】
オブジェクト／オブジェクトレイヤ１８２は、ＧＯＶレベルにおけるデータ（たとえば、ＧＯＶ１７４Ａ〜１７４Ｎおよびヘッダ／データ１７２）を備え得る、ビデオオブジェクトレイヤを含み得る。オブジェクト／オブジェクトレイヤ１８２中のビデオオブジェクトレイヤは、（たとえば、ＭＰＥＧ−４構造の）ビジュアルオブジェクトの一部であり得るビデオオブジェクト内に含まれ得る。ヘッダ情報１８０は、ビデオ信号タイプ情報、ビデオオブジェクト識別子、およびオブジェクトタイプなど、様々なタイプの情報を含み得る。プロファイル／レベル１７８は、データフォーマットまたは構造に固有であり得るプロファイル情報を含む。ヘッダ情報１９０はさらに随意に、特定のユーザによって与えられ得るか、または特定のユーザのためにカスタマイズされ得るユーザデータ１７６を含み得る。
【０１５２】
上記で説明したように、図１１に示す例示的なデータフォーマットは、ある通信デバイス（たとえば、通信デバイス７２）から別の通信デバイス（たとえば、通信デバイス８２）に送られるビデオデータ（たとえば、ＭＰＥＧ−４データ）のビットストリーム構造を備え得る。通信デバイス８２など、データを受信する通信デバイスは、別のネットワーク（たとえば、ワイヤレスネットワーク９０）上でのワイヤレス通信のために使用され得る異なるフォーマットにデータを変換するために、１つまたは複数のコーデックおよび／またはトランスコーダ（たとえば、コーデック／トランスコーダ８６）を使用し得る。
【０１５３】
多くの場合、トランスコーディング動作は、ヘッダ情報１９０などのヘッダ情報を異なるフォーマットにトランスコードするだけであり得る。これらの事例では、ＧＯＶレベル、フレームレベル、スライスレベル、およびマクロブロックレベル内のデータは、全くトランスコードされず、そのままであり得る。たとえば、トランスコーダが、図１１に示すフォーマットに準拠するＭＰＥＧ−４フォーマットから、ＭＰＥＧ−２フォーマットにデータをトランスコードする場合、トランスコーダは、ヘッダ情報１９０をＭＰＥＧ−２に準拠するフォーマットにトランスコードするだけであり得る。ヘッダトランスコーディングのこの形態は、通信デバイス内の処理効率を増加させながら、レイテンシおよび電力消費量を最小限に抑えるのを助け得る。エントロピー符号化、さらには部分エントロピー符号化が実行される場合、コーデックおよび／またはトランスコーダ（たとえば、コーデック／トランスコーダ８６）はまた、ヘッダトランスコーディングを実行するだけであり得る。これらの場合、コーデックは、ＭＰＥＧ−４のためのハードウェアアクセラレータを利用し得るＭＰＥＧ−２エントロピーエンコーダを備え得る。
【０１５４】
いくつかの例では、図１１に示すデータフォーマットのデータを送った通信デバイス（たとえば、図６中のデバイス７２）が、ある方法でＧＯＶレベル、フレームレベル、スライスレベル、および／またはＭＢレベル中のデータを符号化したとき、コーデック／トランスコーダ（たとえば、図６のコーデック／トランスコーダ８６）は、ヘッダトランスコーディングのみを実行し得る。たとえば、通信デバイス７２が、図１１に示すデータフォーマットに従ってＭＰＥＧ−４データを通信デバイス８２に送り、通信デバイス８２が、ＭＰＥＧ−２データフォーマットのデータをデジタルＴＶ受信機９６に送る必要がある場合、通信デバイス８２と通信デバイス７２とは、上記で前に説明したように、ＭＰＥＧ−２によってサポートされないＭＰＥＧ−４符号化のいくつかの特徴を回避することを判断し得る。すなわち、通信デバイス７２のコーデック７６は、ＭＰＥＧ−４とＭＰＥＧ−２とによって通常サポートされる特徴のサブセットを利用してＭＰＥＧ−４フォーマットにデータを符号化し、他の特徴（たとえば、無制限動きベクトル、Ｂフレーム、インターレースコーディング）を回避し得る。これらの場合、コーデック／トランスコーダ８６がヘッダ限定トランスコーディングを実行することが可能であり、それが通信デバイス７２から受信した、マクロブロックデータ、スライスデータ、フレームデータ、またはＧＯＶデータをトランスコードする必要がないことがある。
【０１５５】
他の例では、コーデック／トランスコーダは、ヘッダトランスコーディングおよび／または他のデータトランスコーディングを実行し得る可能性がある。たとえば、場合によっては、トランスコーダは、デジタル放送ネットワークを介してデジタルＴＶ受信機に送られるフォーマット（たとえば、ＭＰＥＧ−２）にデータを適切に変換するために、図１１に示すマクロブロック、スライス、フレーム、および／またはＧＯＶレベルのうちの１つまたは複数の中のデータを潜在的にトランスコードし得る。
【０１５６】
図１２は、図１〜図６のいずれかに示された通信デバイスのうちの１つなど、通信デバイスによって実行され得る方法の一例を示す流れ図である。通信デバイスは、デジタル放送スペクトル中の現在利用可能な少なくとも１つのチャネルを（たとえば、チャネル識別器を使用して）識別する（２００）。通信デバイスは、（たとえば、データ受信機を使用して）第２の異なる通信デバイスから送られたデータを受信し（２０２）、次いで、デジタル放送スペクトルの少なくとも１つの識別されたチャネルにおいて（たとえば、データ送信機を使用して）データを送信し、送信されるデータは、デジタル放送フォーマットに準拠する（２０４）。
【０１５７】
いくつかの例では、通信デバイスは、デジタル放送テレビジョンスペクトルの未使用部分中の少なくとも１つのチャネルを識別し、デジタル放送テレビジョンスペクトルの少なくとも１つの識別されたチャネルにおいてデジタル放送フォーマットに従ってデータを送信する。いくつかの例では、通信デバイスは、テレビジョン帯域ホワイトスペースを識別することによって、少なくとも１つのチャネルを識別し得る。デジタル放送フォーマットは、ほんのいくつかの非限定的な例を挙げると、ＡＴＳＣフォーマット、Ｔ−ＤＭＢフォーマット、ＤＶＢフォーマット、Ｉｎｔｅｇｒａｔｅｄ  Ｓｅｒｖｉｃｅｓ  Ｄｉｇｉｔａｌ  Ｂｒｏａｄｃａｓｔｉｎｇ  Ｔｅｒｒｅｓｔｒｉａｌフォーマット、またはＭＰＥＧ−ＴＳフォーマットを備え得る。
【０１５８】
いくつかの例では、第２の通信デバイスはドッキングされ得る。いくつかの例では、第２の通信デバイスから送られたデータを受信することは、ワイヤレスネットワーク上で第２の通信デバイスから送られたデータを受信することを含み得、ワイヤレスネットワークは、デジタル放送スペクトルのための放送ネットワークとは異なり得る。
【０１５９】
第２の通信デバイスから送られたデータは、第２の通信デバイスの表示情報を含み得る。表示情報は、第２の通信デバイス上でレンダリングされる１次表示データを含み得、少なくとも１つの識別されたチャネルにおいて第１の通信デバイスからデータを送信することは、１次表示データを送信することを含み得る。しかしながら、いくつかの事例では、少なくとも１つの識別されたチャネルにおいて第１の通信デバイスからデータを送信することは、第２の通信デバイスによって表示される１次表示データとは異なる２次表示データを送信することを含み得る。たとえば、これは、第２の通信デバイスのユーザが、第２の通信デバイスのディスプレイスクリーン上に収まり得ないコンテンツ（たとえば、ウェブページ、デスクトップ情報）を見ることを希望し得るときに行われ得る。
【０１６０】
いくつかの例では、第２の通信デバイスから送られたデータは、第２の通信デバイスのヒューマンインターフェースデバイスによって与えられるデータを含み得、少なくとも１つの識別されたチャネルにおいて第１の通信デバイスからデータを送信することは、ヒューマンインターフェースデバイスによって外部デバイスに与えられるデータを送信することを含み得、ヒューマンインターフェースデバイスによって与えられるデータは、外部デバイスによって表示されるアイコンを制御するために外部デバイスによって使用されることが可能である。第２の通信デバイスのヒューマンインターフェースデバイスは、タッチスクリーンなど、タッチインターフェースを備え得る。したがって、第２の通信デバイスのタッチスクリーンは、たとえば、外部デバイス（たとえば、テレビジョンスクリーン）のディスプレイ上のカーソルまたは他のアイコンを制御するタッチパッドとして使用され得る。
【０１６１】
通信デバイスは、第２の通信デバイスから第１のデータフォーマットのデータを受信し得、通信デバイスは、第１のデータフォーマットのデータを第２のデータフォーマットのデータに変換し得、第２のデータフォーマットはデジタル放送フォーマットに準拠する。次いで、通信デバイスは、少なくとも１つの識別されたチャネルにおいて第２のフォーマットのデータを送信し得る。第１のデータフォーマットのデータおよび第２のデータフォーマットのデータはそれぞれ、オーディオデータ、ビデオデータ、テキストデータ、音声データ、グラフィックスデータ、および補助対話性データのうちの少なくとも１つを含み得る。
【０１６２】
場合によっては、通信デバイスは、第２のデータフォーマットに準拠する符号化されたデータを生成するように、第１のデータフォーマットのデータを符号化することによって、第１のデータフォーマットのデータを第２のデータフォーマットのデータに変換し得る。場合によっては、通信デバイスは、第１のデータフォーマットのデータを第２のデータフォーマットのデータにトランスコードすることによって、第１のデータフォーマットのデータを第２のデータフォーマットのデータに変換し得る。通信デバイスは、第１のデータフォーマットと第２のデータフォーマットの両方に共通であり、その両方によってサポートされる特徴のセットに基づいて、第１のデータフォーマットのデータを第２のデータフォーマットのデータにトランスコードし得る。場合によっては、通信デバイスは、第２のデータフォーマットを指定するために情報を第２の通信デバイスに送り得る。
【０１６３】
例示のためにのみ説明され、限定するものとみなされるべきでない特定の一例では、通信デバイスは、ビデオデータを第１のデータフォーマットから第２のデータフォーマットのビデオデータにトランスコードし得る。第１のデータフォーマットはＭＰＥＧ−４フォーマットを備え得、第２のデータフォーマットはＭＰＥＧ−２フォーマットを備え得る。
【０１６４】
通信デバイスが静穏化ユニット（たとえば、図２の静穏化ユニット１５）を含む場合、通信デバイスは、少なくとも１つの時間間隔中に、少なくとも１つの識別されたチャネルが使用のために利用可能であり続けるかどうかを検出し得る。少なくとも１つの時間間隔中に、通信デバイスは、データを送信することを控え得る。
【０１６５】
いくつかの例では、通信デバイスは、少なくとも１つの識別されたチャネルがさらなる使用のためにもはや利用可能でないと判断し、デジタル放送スペクトル中の現在利用可能である少なくとも１つの他のチャネルを識別し得る。通信デバイスは、第２の通信デバイスから送られた追加のデータを受信し、デジタル放送スペクトルの少なくとも１つの他の識別されたチャネルにおいて追加のデータを送信し得、送信される追加のデータはデジタル放送フォーマットに準拠する。通信デバイスがチャネル送信機（たとえば、図１のチャネル送信機１１）を含む場合、通信デバイスは、第３のデバイス（たとえば、データ受信機９のうちの１つまたは複数）に、少なくとも１つのメッセージを送信し得、少なくとも１つのメッセージは、第３のデバイスが、少なくとも１つの識別されたチャネルから少なくとも１つの他の識別されたチャネルへのチャネル変更を判断することを可能にする情報を含んでいる。
【０１６６】
通信デバイスは、スペクトルセンサ（たとえば、図８のスペクトルセンサ１１８Ａまたは図９の１１８Ｂ）を含み得る。通信デバイスは、スペクトルセンサを使用して、少なくとも１つのチャネルを識別し得る。いくつかの例では、通信デバイスは、デジタルＴＶ帯域データベース（たとえば、図８のデータベース１２８）にさらにアクセスし得る。これらの例では、通信デバイスは、少なくとも１つのチャネルを識別するために、デジタルＴＶ帯域データベースにさらにアクセスし得る。
【０１６７】
いくつかの例では、通信デバイスは、デジタル放送スペクトルの複数の利用可能なチャネルを識別し得る。通信デバイスは、複数の利用可能なチャネルのうちの少なくとも１つの（たとえば、通信デバイス自体からの、または別のデバイスからの）選択を受信し、選択されたチャネルの少なくとも１つにおいてデータを送信し得る。いくつかの事例では、通信デバイスは、複数の利用可能なチャネルのうちの少なくとも１つの、通信デバイスからの自動選択に基づく選択を受信し得る。他の場合には、通信デバイスは、別のデバイス（たとえば、第２の通信デバイス）に、識別された複数の利用可能なチャネルの指示を送り得る。これらの場合、通信デバイスは、他のデバイスから、複数の利用可能なチャネルのうちの少なくとも１つの選択を受信し得る。
【０１６８】
本開示で説明する技法は、汎用マイクロプロセッサ、デジタル信号プロセッサ（ＤＳＰ）、特定用途向け集積回路（ＡＳＩＣ）、フィールドプログラマブルゲートアレイ（ＦＰＧＡ）、プログラマブル論理デバイス（ＰＬＤ）、または他の同等の論理デバイスのうちの１つまたは複数の内に実装され得る。したがって、本明細書で使用する「プロセッサ」または「コントローラ」という用語は、前述の構造、または本明細書で説明する技法の実装に好適な他の構造のうちのいずれか１つまたは複数を指すことがある。
【０１６９】
本明細書で説明した様々な構成要素は、ハードウェア、ソフトウェア、および／またはファームウェアの任意の適切な組合せによって実現され得る。図では、様々な構成要素は、別々のユニットまたはモジュールとして示される。しかしながら、これらの図を参照しながら説明した様々な構成要素のすべてまたはいくつかは、共通ハードウェア、ファームウェア、および／またはソフトウェア内の組合せユニットまたはモジュールに統合され得る。したがって、構成要素、ユニット、またはモジュールとしての特徴の表現は、説明しやすいように特定の機能的特徴を強調するものであり、別々のハードウェア、ファームウェア、またはソフトウェア構成要素によるそのような特徴の実現を必ずしも必要としない。場合によっては、様々なユニットは、１つまたは複数のプロセッサによって実行されるプログラマブルプロセスとして実装され得る。
【０１７０】
モジュール、デバイス、または構成要素として本明細書で説明した特徴は、集積論理デバイスに一緒に、または個別であるが相互運用可能な論理デバイスとして別々に実装され得る。様々な態様では、そのような構成要素は、少なくとも部分的に、集積回路チップまたはチップセットなど、まとめて集積回路デバイスと呼ばれることがある１つまたは複数の集積回路デバイスとして形成され得る。そのような回路は、単一の集積回路チップデバイス中、または複数の相互運用可能な集積回路チップデバイス中に設けられ得、様々な画像、ディスプレイ、音声、または他のマルチメディアアプリケーションおよびデバイスのいずれかにおいて使用され得る。いくつかの態様では、たとえば、そのような構成要素は、ワイヤレス通信デバイスハンドセット（たとえば、モバイル電話ハンドセット）などのモバイルデバイスの一部を形成し得る。
【０１７１】
ソフトウェアで実装した場合、これらの技法は、１つまたは複数のプロセッサによって実行されたとき、上記で説明した方法のうちの１つまたは複数を実行する命令をもつコードを備えるコンピュータ可読データ記憶媒体によって少なくとも部分的に実現され得る。コンピュータ可読記憶媒体は、パッケージング材料を含むことがあるコンピュータプログラム製品の一部を形成し得る。コンピュータ可読媒体は、同期ダイナミックランダムアクセスメモリ（ＳＤＲＡＭ）などのランダムアクセスメモリ（ＲＡＭ）、読取り専用メモリ（ＲＯＭ）、不揮発性ランダムアクセスメモリ（ＮＶＲＡＭ）、電気消去可能プログラマブル読取り専用メモリ（ＥＥＰＲＯＭ）、埋込みダイナミックランダムアクセスメモリ（ｅＤＲＡＭ）、スタティックランダムアクセスメモリ（ＳＲＡＭ）、フラッシュメモリ、磁気または光学データ記憶媒体を備え得る。利用される任意のソフトウェアは、１つまたは複数のＤＳＰ、汎用マイクロプロセッサ、ＡＳＩＣ、ＦＰＧＡ、または他の等価の集積またはディスクリート論理回路など、１つまたは複数のプロセッサによって実行され得る。
【０１７２】
様々な態様について本開示で説明した。これらおよび他の態様は特許請求の範囲内に入る。
以下に本件出願当初の特許請求の範囲に記載された発明を付記する。
（１）
データを送信する方法であって、
第１の通信デバイスを用いて、デジタル放送スペクトル中の現在利用可能な少なくとも１つのチャネルを識別することと、
前記第１の通信デバイスを用いて、第２の通信デバイスから送られたデータを受信することと、
前記デジタル放送スペクトルの前記少なくとも１つの識別されたチャネルにおいて前記第１の通信デバイスから前記データを送信することであって、ここで前記送信されるデータがデジタル放送フォーマットに準拠している、送信することと、
を備える方法。
（２）
前記第２の通信デバイスから送られた前記データを受信することが、ワイヤレスネットワーク上で前記第２の通信デバイスから送られた前記データを受信することを備える、
（１）記載の方法。
（３）
前記ワイヤレスネットワークが、前記デジタル放送スペクトルのための放送ネットワークとは異なる、（２）記載の方法。
（４）
前記第２の通信デバイスから送られた前記データが、前記第２の通信デバイスの表示情報を備える、（１）記載の方法。
（５）
前記表示情報が、前記第２の通信デバイス上で表示される１次表示データを備え、
前記少なくとも１つの識別されたチャネルにおいて前記第１の通信デバイスから前記データを送信することが、前記１次表示データを送信することを備える、
（４）記載の方法。
（６）
前記表示情報が、前記第２の通信デバイスによって表示される１次表示データとは異なる２次表示データを備え、
前記少なくとも１つの識別されたチャネルにおいて前記第１の通信デバイスから前記データを送信することが、前記２次表示データを送信することを備える、
（４）記載の方法。
（７）
前記第２の通信デバイスから送られる前記データが、前記第２の通信デバイスのヒューマンインターフェースデバイスによって与えられたデータを備え、
前記少なくとも１つの識別されたチャネルにおいて前記第１の通信デバイスから前記データを送信することが、前記ヒューマンインターフェースデバイスによって外部デバイスに与えられた前記データを送信することを備え、ここで前記ヒューマンインターフェースデバイスによって与えられた前記データが、前記外部デバイスによって表示されるアイコンを制御するために前記外部デバイスによって使用されることが可能である、
（１）記載の方法。
（８）
前記第２の通信デバイスの前記ヒューマンインターフェースデバイスがタッチインターフェースを備える、（７）記載の方法。
（９）
前記少なくとも１つのチャネルを識別することが、デジタル放送テレビジョンスペクトルの未使用部分中の前記少なくとも１つのチャネルを識別することを備え、
前記データを送信することが、前記デジタル放送テレビジョンスペクトルの前記少なくとも１つの識別されたチャネルにおいて、デジタル放送フォーマットに従って前記データを送信することを備える、
（１）記載の方法。
（１０）
前記デジタル放送フォーマットが、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）フォーマット、Ｔ−ＤＭＢ（Ｔｅｒｒｅｓｔｒｉａｌ  Ｄｉｇｉｔａｌ  Ｍｕｌｔｉｍｅｄｉａ  Ｂｒｏａｄｃａｓｔｉｎｇ）フォーマット、ＤＶＢ（Ｄｉｇｉｔａｌ  Ｖｉｄｅｏ  Ｂｒｏａｄｃａｓｔｉｎｇ）フォーマット、Ｉｎｔｅｇｒａｔｅｄ  Ｓｅｒｖｉｃｅｓ  Ｄｉｇｉｔａｌ  Ｂｒｏａｄｃａｓｔｉｎｇ  Ｔｅｒｒｅｓｔｒｉａｌ（ＩＳＤＢ−Ｔ）フォーマット、またはＭｏｖｉｎｇ  Ｐｉｃｔｕｒｅ  Ｅｘｐｅｒｔｓ  Ｇｒｏｕｐ  Ｔｒａｎｓｐｏｒｔ  Ｓｔｒｅａｍ（ＭＰＥＧ−ＴＳ）フォーマットを備える、（９）記載の方法。
（１１）
前記少なくとも１つのチャネルを識別することが、テレビジョン帯域ホワイトスペースを識別することを備える、（１）記載の方法。
（１２）
前記データを受信することが、前記第２の通信デバイスから第１のデータフォーマットのデータを受信することを備え、
前記方法が、前記第１の通信デバイスによって、前記第１のデータフォーマットの前記データを第２のデータフォーマットのデータに変換することをさらに備え、前記第２のデータフォーマットが前記デジタル放送フォーマットに準拠し、
前記データを送信することが、前記少なくとも１つの識別されたチャネルにおいて前記第１の通信デバイスから前記第２のフォーマットの前記データを送信することを備える、
（１）記載の方法。
（１３）
前記第１のデータフォーマットの前記データおよび前記第２のデータフォーマットの前記データがそれぞれ、オーディオデータ、ビデオデータ、テキストデータ、音声データ、グラフィックスデータ、および補助対話性データのうちの少なくとも１つを含む、（１２）記載の方法。
（１４）
前記第１のデータフォーマットの前記データを前記第２のデータフォーマットのデータに変換することが、前記第２のデータフォーマットに準拠する符号化されたデータを生成するように、前記第１のデータフォーマットの前記データを符号化することを備える、（１２）記載の方法。
（１５）
前記第１のデータフォーマットの前記データを前記第２のデータフォーマットのデータに変換することが、前記第１のデータフォーマットの前記データを前記第２のデータフォーマットの前記データにトランスコードすることを備える、（１２）記載の方法。
（１６）
前記トランスコードすることが、前記第１のデータフォーマットと前記第２のデータフォーマットの両方に共通であり、その両方によってサポートされる特徴のセットに基づいて、前記第１のデータフォーマットの前記データを前記第２のデータフォーマットの前記データにトランスコードすることを備える、（１５）記載の方法。
（１７）
トランスコードすることが、ビデオデータを前記第１のデータフォーマットから前記第２のデータフォーマットのビデオデータにトランスコードすることを備え、
前記第１のデータフォーマットが、Ｍｏｖｉｎｇ  Ｐｉｃｔｕｒｅ  Ｅｘｐｅｒｔｓ  Ｇｒｏｕｐ（ＭＰＥＧ）４フォーマットを備え、
前記第２のデータフォーマットがＭＰＥＧ−２フォーマットを備える、
（１５）記載の方法。
（１８）
前記第２のデータフォーマットを指定するための情報を前記第１の通信デバイスから前記第２の通信デバイスに送ること
をさらに備える、（１２）記載の方法。
（１９）
前記第２の通信デバイスから送られた前記データを受信することが、デジタル放送フォーマットのデータを受信することを備える、
（１）記載の方法。
（２０）
前記少なくとも１つのチャネルを識別することが、前記少なくとも１つのチャネルを識別するためにスペクトルセンサを使用することを備える、（１）記載の方法。
（２１）
前記第１の通信デバイスの地理的ロケーションを判断することをさらに備え、
ここでは、
前記少なくとも１つのチャネルを識別することが、前記少なくとも１つのチャネルを識別するためにデジタルテレビジョン（ＴＶ）帯域データベースにアクセスすることを備え、
前記デジタルＴＶ帯域データベースにアクセスすることが、前記デジタルＴＶ帯域データベースへの入力として前記地理的ロケーションを与えることを備える、
（１）記載の方法。
（２２）
前記地理的ロケーションを判断することが、前記第１の通信デバイス内に含まれる全地球測位システム（ＧＰＳ）センサを使用して前記地理的ロケーションを判断すること、または外部サーバから前記第１の通信デバイスの推定されたロケーションを取得するために、前記外部サーバに前記第１の通信デバイスのインターネットプロトコル（ＩＰ）アドレスを与えることを備える、（２１）記載の方法。
（２３）
前記少なくとも１つのチャネルを識別することが、前記デジタル放送スペクトルの複数の利用可能なチャネルを識別することを備え、前記方法が、前記複数の利用可能なチャネルのうちの少なくとも１つの選択を受信することをさらに備え、前記データを送信することが、前記選択されたチャネルのうちの少なくとも１つにおいて前記データを送信することを備える、（１）記載の方法。
（２４）
前記第２の通信デバイスがドッキングされる、（１）記載の方法。
（２５）
１つまたは複数のプロセッサと、
デジタル放送スペクトル中の現在利用可能な少なくとも１つのチャネルを識別するように、前記１つまたは複数のプロセッサによって動作可能であるチャネル識別器と、
第２の通信デバイスから送られたデータを受信するように、前記１つまたは複数のプロセッサによって動作可能である受信機と、
前記デジタル放送スペクトルの前記少なくとも１つの識別されたチャネルにおいて前記データを送信するように、前記１つまたは複数のプロセッサによって動作可能である送信機であって、ここで前記送信されるデータがデジタル放送フォーマットに準拠している、送信機と、を備える通信デバイス。
（２６）
前記受信機が、少なくとも、ワイヤレスネットワーク上で前記第２の通信デバイスから送られた前記データを受信することによって、前記第２の通信デバイスから送られた前記データを受信する、（２５）記載の通信デバイス。
（２７）
前記ワイヤレスネットワークが前記デジタル放送スペクトルとは異なる、（２６）記載の通信デバイス。
（２８）
前記第２の通信デバイスから送られた前記データが、前記第２の通信デバイスの表示情報を備える、（２５）記載の通信デバイス。
（２９）
前記表示情報が、前記第２の通信デバイス上で表示される１次表示データを備え、
前記少なくとも１つの識別されたチャネルにおいて前記データを送信する前記送信機が、前記１次データを送信することを備える、
（２８）記載の通信デバイス。
（３０）
前記表示情報が、前記第２の通信デバイスによって表示される１次表示データとは異なる２次表示データを備え、
前記送信機が、少なくとも前記２次表示データを送信することによって、前記少なくとも１つの識別されたチャネルにおいて前記データを送信する、
（２８）記載の通信デバイス。
（３１）
前記第２の通信デバイスから送られる前記データが、前記第２の通信デバイスのヒューマンインターフェースデバイスによって与えられたデータを備え、
前記送信機が、少なくとも、前記ヒューマンインターフェースデバイスによって外部デバイスに与えられた前記データを送信することによって、前記少なくとも１つの識別されたチャネルにおいて前記データを送信し、ここで前記ヒューマンインターフェースデバイスによって与えられた前記データが、前記外部デバイスによって表示されるアイコンを制御するために前記外部デバイスによって使用されることが可能である、
（２５）記載の通信デバイス。
（３２）
前記第２の通信デバイスの前記ヒューマンインターフェースデバイスがタッチインターフェースを備える、（３１）記載の通信デバイス。
（３３）
前記チャネル識別器が、デジタル放送テレビジョンスペクトルの未使用部分中の前記少なくとも１つのチャネルを識別し、
前記送信機が、前記デジタル放送テレビジョンスペクトルの前記少なくとも１つの識別されたチャネルにおいて、デジタル放送フォーマットに従って前記データを送信する、
（２５）記載の通信デバイス。
（３４）
前記デジタル放送フォーマットが、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）フォーマット、Ｔ−ＤＭＢ（Ｔｅｒｒｅｓｔｒｉａｌ  Ｄｉｇｉｔａｌ  Ｍｕｌｔｉｍｅｄｉａ  Ｂｒｏａｄｃａｓｔｉｎｇ）フォーマット、ＤＶＢ（Ｄｉｇｉｔａｌ  Ｖｉｄｅｏ  Ｂｒｏａｄｃａｓｔｉｎｇ）フォーマット、Ｉｎｔｅｇｒａｔｅｄ  Ｓｅｒｖｉｃｅｓ  Ｄｉｇｉｔａｌ  Ｂｒｏａｄｃａｓｔｉｎｇ  Ｔｅｒｒｅｓｔｒｉａｌ（ＩＳＤＢ−Ｔ）フォーマット、またはＭｏｖｉｎｇ  Ｐｉｃｔｕｒｅ  Ｅｘｐｅｒｔｓ  Ｇｒｏｕｐ  Ｔｒａｎｓｐｏｒｔ  Ｓｔｒｅａｍ（ＭＰＥＧ−ＴＳ）フォーマットを備える、（３３）記載の通信デバイス。
（３５）
前記チャネル識別器が、少なくとも、テレビジョン帯域ホワイトスペースを識別することによって、前記少なくとも１つのチャネルを識別する、（２５）記載の通信デバイス。
（３６）
前記受信機が、前記第２の通信デバイスから第１のデータフォーマットのデータを受信し、
前記通信デバイスが、前記第１のデータフォーマットの前記データを第２のデータフォーマットのデータに変換するための変換ユニットをさらに備え、ここで前記第２のデータフォーマットが前記デジタル放送フォーマットに準拠しており、
前記送信機が、前記少なくとも１つの識別されたチャネルにおいて前記第２のフォーマットの前記データを送信する、
（２５）記載の通信デバイス。
（３７）
前記第１のデータフォーマットの前記データおよび前記第２のデータフォーマットの前記データがそれぞれ、オーディオデータ、ビデオデータ、テキストデータ、音声データ、グラフィックスデータ、および補助対話性データのうちの少なくとも１つを含む、（３６）記載の通信デバイス。
（３８）
前記変換ユニットが、少なくとも、前記第２のデータフォーマットに準拠する符号化されたデータを生成するように、前記第１のデータフォーマットの前記データを符号化することによって、前記第１のデータフォーマットの前記データを前記第２のデータフォーマットの前記データに変換する、（３６）記載の通信デバイス。
（３９）
前記変換ユニットが、少なくとも、前記第１のデータフォーマットの前記データを前記第２のデータフォーマットの前記データにトランスコードすることによって、前記第１のデータフォーマットの前記データを前記第２のデータフォーマットの前記データに変換する、（３６）記載の通信デバイス。
（４０）
前記変換ユニットが、前記第１のデータフォーマットと前記第２のデータフォーマットの両方に共通であり、その両方によってサポートされる特徴のセットに基づいて、前記第１のデータフォーマットの前記データを前記第２のデータフォーマットの前記データにトランスコードする、（３９）記載の通信デバイス。
（４１）
前記変換ユニットが、ビデオデータを前記第１のデータフォーマットから前記第２のデータフォーマットのビデオデータにトランスコードし、
前記第１のデータフォーマットが、Ｍｏｖｉｎｇ  Ｐｉｃｔｕｒｅ  Ｅｘｐｅｒｔｓ  Ｇｒｏｕｐ（ＭＰＥＧ）４フォーマットを備え、
前記第２のデータフォーマットがＭＰＥＧ−２フォーマットを備える、
（３９）記載の通信デバイス。
（４２）
前記通信デバイスが、前記第２のデータフォーマットを指定する情報を前記第２の通信デバイスに送るようにさらに構成された、（３６）記載の通信デバイス。
（４３）
前記受信機が、少なくとも、デジタル放送フォーマットのデータを受信することによって、前記第２の通信デバイスから送られた前記データを受信する、（２５）記載の通信デバイス。
（４４）
前記チャネル識別器がスペクトルセンサを備える、（２５）記載の通信デバイス。
（４５）
前記チャネル識別器が、少なくとも、前記少なくとも１つのチャネルを識別するためにデジタルテレビジョン（ＴＶ）帯域データベースにアクセスすることによって、前記少なくとも１つのチャネルを識別する、（２５）記載の通信デバイス。
（４６）
前記第２の通信デバイスがドッキングされる、（２５）記載の通信デバイス。
（４７）
前記通信デバイスがワイヤレス通信デバイスハンドセットを備える、（２５）記載の通信デバイス。
（４８）
前記通信デバイスが、１つまたは複数の集積回路デバイスを備える、（２５）記載の通信デバイス。
（４９）
デジタル放送スペクトル中の現在利用可能な少なくとも１つのチャネルを識別するための手段と、
第２の通信デバイスから送られたデータを受信するための手段と、
前記デジタル放送スペクトルの前記少なくとも１つの識別されたチャネルにおいて前記データを送信するための手段であって、ここで前記送信されるデータがデジタル放送フォーマットに準拠している、手段と、
を備える通信デバイス。
（５０）
前記第２の通信デバイスから送られた前記データを受信するための前記手段が、ワイヤレスネットワーク上で前記第２の通信デバイスから送られた前記データを受信するための手段を備える、
（４９）記載の通信デバイス。
（５１）
前記ワイヤレスネットワークが前記デジタル放送スペクトルとは異なる、（５０）記載の通信デバイス。
（５２）
前記第２の通信デバイスから送られた前記データが、前記第２の通信デバイスの表示情報を備える、（４９）記載の通信デバイス。
（５３）
前記表示情報が、前記第２の通信デバイス上で表示される１次表示データを備え、
前記少なくとも１つの識別されたチャネルにおいて前記データを送信するための前記手段が、前記１次表示データを送信するための手段を備える、
（５２）記載の通信デバイス。
（５４）
前記表示情報が、前記第２の通信デバイスによって表示される１次表示データとは異なる２次表示データを備え、
前記少なくとも１つの識別されたチャネルにおいて前記データを送信するための前記手段が、前記２次表示データを送信するための手段を備える、
（５２）記載の通信デバイス。
（５５）
前記第２の通信デバイスから送られる前記データが、前記第２の通信デバイスのヒューマンインターフェースデバイスによって与えられたデータを備え、
前記少なくとも１つの識別されたチャネルにおいて前記データを送信するための前記手段が、前記ヒューマンインターフェースデバイスによって外部デバイスに与えられた前記データを送信するための手段を備え、前記ヒューマンインターフェースデバイスによって与えられた前記データが、前記外部デバイスによって表示されるアイコンを制御するために前記外部デバイスによって使用されることが可能である、
（４９）記載の通信デバイス。
（５６）
前記第２の通信デバイスから送られた前記データを受信するための前記手段が、デジタル放送フォーマットのデータを受信するための手段を備える、
（４９）記載の通信デバイス。
（５７）
前記少なくとも１つのチャネルを識別するための前記手段が、デジタル放送テレビジョンスペクトルの未使用部分中の前記少なくとも１つのチャネルを識別するための手段を備え、
前記データを送信するための前記手段が、前記デジタル放送テレビジョンスペクトルの前記少なくとも１つの識別されたチャネルにおいて、デジタル放送フォーマットに従って前記データを送信するための手段を備える、
（４９）記載の通信デバイス。
（５８）
前記データを受信するための前記手段が、前記第２の通信デバイスから第１のデータフォーマットのデータを受信するための手段を備え、
前記通信デバイスが、前記第１のデータフォーマットの前記データを第２のデータフォーマットのデータに変換するための手段をさらに備え、前記第２のデータフォーマットが前記デジタル放送フォーマットに準拠し、
前記データを送信するための前記手段が、前記少なくとも１つの識別されたチャネルにおいて前記第２のフォーマットの前記データを送信するための手段を備える、
（４９）記載の通信デバイス。
（５９）
前記第１のデータフォーマットの前記データを前記第２のデータフォーマットの前記データに変換するための前記手段が、前記第１のデータフォーマットと前記第２のデータフォーマットの両方に共通であり、その両方によってサポートされる特徴のセットに基づいて、前記第１のデータフォーマットの前記データを前記第２のデータフォーマットの前記データにトランスコードするための手段を備える、（５８）記載の通信デバイス。
（６０）
通信デバイスの１つまたは複数のプロセッサに、
デジタル放送スペクトル中の現在利用可能な少なくとも１つのチャネルを識別することと、
第２の通信デバイスから送られたデータを受信することと、
前記デジタル放送スペクトルの前記少なくとも１つの識別されたチャネルにおいて前記データを送信することであって、ここで前記送信されるデータがデジタル放送フォーマットに準拠している、送信をすることと、
を行わせるための命令を用いて符号化される、コンピュータ可読記憶媒体。
（６１）
前記第２の通信デバイスから送られた前記データを受信するための前記命令が、ワイヤレスネットワーク上で前記第２の通信デバイスから送られた前記データを受信するための命令を備える、
（６０）記載のコンピュータ可読記憶媒体。
（６２）
前記ワイヤレスネットワークが前記デジタル放送スペクトルとは異なる、（６１）記載のコンピュータ可読記憶媒体。
（６３）
前記第２の通信デバイスから送られた前記データが、前記第２の通信デバイスの表示情報を備える、（６０）記載のコンピュータ可読記憶媒体。
（６４）
前記表示情報が、前記第２の通信デバイス上で表示される１次表示データを備え、
前記少なくとも１つの識別されたチャネルにおいて前記データを送信するための前記命令が、前記１次表示データを送信するための命令を備える、
（６３）記載のコンピュータ可読記憶媒体。
（６５）
前記表示情報が、前記第２の通信デバイスによって表示される１次表示データとは異なる２次表示データを備え、
前記少なくとも１つの識別されたチャネルにおいて前記データを送信するための前記命令が、前記２次表示データを送信するための命令を備える、
（６３）記載のコンピュータ可読記憶媒体。
（６６）
前記第２の通信デバイスから送られる前記データが、前記第２の通信デバイスのヒューマンインターフェースデバイスによって与えられたデータを備え、
前記少なくとも１つの識別されたチャネルにおいて前記データを送信するための前記命令が、前記ヒューマンインターフェースデバイスによって外部デバイスに与えられた前記データを送信するための命令を備え、前記ヒューマンインターフェースデバイスによって与えられた前記データが、前記外部デバイスによって表示されるアイコンを制御するために前記外部デバイスによって使用されることが可能である、
（６０）記載のコンピュータ可読記憶媒体。
（６７）
前記第２の通信デバイスから送られた前記データを受信するための前記命令が、デジタル放送フォーマットのデータを受信するための命令を備える、
（６０）記載のコンピュータ可読記憶媒体。
（６８）
前記少なくとも１つのチャネルを識別するための前記命令が、デジタル放送テレビジョンスペクトルの未使用部分中の前記少なくとも１つのチャネルを識別するための命令を備え、
前記データを送信するための前記命令が、前記デジタル放送テレビジョンスペクトルの前記少なくとも１つの識別されたチャネルにおいて、デジタル放送フォーマットに従って前記データを送信するための命令を備える、
（６０）記載のコンピュータ可読記憶媒体。
（６９）
前記データを受信するための前記命令が、前記第２の通信デバイスから第１のデータフォーマットのデータを受信するための命令を備え、
前記コンピュータ可読記憶媒体が、前記第１のデータフォーマットの前記データを第２のデータフォーマットのデータに変換するための命令をさらに備え、前記第２のデータフォーマットが前記デジタル放送フォーマットに準拠し、
前記データを送信するための前記命令が、前記少なくとも１つの識別されたチャネルにおいて前記第２のフォーマットの前記データを送信するための命令を備える、
（６０）記載のコンピュータ可読記憶媒体。
（７０）
前記第１のデータフォーマットの前記データを前記第２のデータフォーマットの前記データに変換するための前記命令が、前記第１のデータフォーマットと前記第２のデータフォーマットの両方に共通であり、その両方によってサポートされる特徴のセットに基づいて、前記第１のデータフォーマットの前記データを前記第２のデータフォーマットの前記データにトランスコードするための命令を備える、（６９）記載のコンピュータ可読記憶媒体。
【図１】
0005350544.tif 000004
【図２】
0005350544.tif 000005
【図３】
0005350544.tif 000006
【図４】
0005350544.tif 000007
【図５】
0005350544.tif 000008
【図６】
0005350544.tif 000009
【図７Ａ】
0005350544.tif 000010
【図７Ｂ】
0005350544.tif 000011
【図８】
0005350544.tif 000012
【図９】
0005350544.tif 000013
【図１０】
0005350544.tif 000014
【図１１】
0005350544.tif 000015
【図１２】
0005350544.tif 000016